(57)【要約】【課題】眼底血管の検査に関わる計測の自動化を測りつつ計測精度の向上を図る。【解決手段】眼底画像の画像データに基づいて、眼底血管に相当する当該眼底画像内の血管領域の幅を演算する演算処理部１１と、表示部１２２に診療情報を表示させる制御部１３を備える。演算処理部１１には、眼底画像の画像データに基づいて、所定の計測位置の近傍領域に含まれる血管領域の両側面の境界をそれぞれ抽出する血管境界抽出部１１４と、当該計測位置を通過する複数の直線のそれぞれについて、その直線と上記両側面のそれぞれの境界との交叉位置を演算する交叉位置演算部１１５と、各直線について演算された２つの交叉位置の間の距離を演算する交叉位置間距離演算部１１６と、各直線について演算された距離のうちの最も短い距離を血管領域の幅として選択する交叉位置間距離選択部１１７とが設けられている。【選択図】図１
2007319403.tif 000002
【特許請求の範囲】
【請求項１】
眼底画像を撮影する撮影手段と、
該撮影された眼底画像の画像データに基づいて、眼底血管に相当する当該眼底画像内の血管領域の幅を演算する演算手段と、
表示手段と、
該表示手段に診療情報を表示させる制御手段と、
を備える診療支援システムであって、
前記演算手段は、
前記画像データに基づいて、所定の計測位置の近傍領域に含まれる前記血管領域の両側面の境界をそれぞれ抽出する抽出手段と、
前記所定の計測位置を通過する複数の直線のそれぞれについて、当該直線と前記抽出された両側面のそれぞれの境界とが交叉する位置を演算する交叉位置演算手段と、
前記複数の直線のそれぞれについて該演算された２つの前記交叉する位置の間の距離を演算する距離演算手段と、
前記複数の直線のそれぞれについて該演算された距離のうちの最も短い距離を、前記所定の計測位置における前記血管領域の幅として選択する距離選択手段と、
を備え、
前記制御手段は、該選択された前記血管領域の幅に基づく診療情報を前記表示手段に表示させる、
ことを特徴とする診療支援システム。
【請求項２】
前記血管領域は、動脈に相当する動脈領域と静脈に相当する静脈領域とを含み、
前記演算手段は、
前記抽出手段、前記交叉位置演算手段、前記距離演算手段及び前記距離選択手段により、前記血管領域の幅として、前記動脈領域の幅と前記静脈領域の幅とをそれぞれ演算し、
該演算された前記動脈領域の幅と前記静脈領域の幅との比を演算して動静脈径比を求める動静脈径比演算手段を更に備え、
前記制御手段は、該演算された動静脈径比に基づく前記診療情報を前記表示手段に表示させる、
ことを特徴とする請求項１に記載の診療支援システム。
【請求項３】
操作手段を更に備え、
前記制御手段は、前記撮影手段により撮影された眼底画像を前記表示手段に表示させ、
前記抽出手段は、該表示された眼底画像の前記動脈領域及び前記静脈領域のそれぞれの画像領域上に前記操作手段によって計測位置が指定されたときに、該指定されたそれぞれの計測位置において、前記動脈領域及び前記静脈領域のそれぞれの両側面のそれぞれの境界を抽出し、
前記交叉位置演算手段は、前記動脈領域及び前記静脈領域のそれぞれについて、前記指定された計測位置を通過する複数の直線のそれぞれと、前記抽出された両側面のそれぞれの境界とが交叉する位置を演算し、
前記距離演算手段は、前記動脈領域及び前記静脈領域のそれぞれについて、該演算された前記複数の直線のそれぞれの前記２つの交叉する位置の間の距離を演算し、
前記距離選択手段は、前記動脈領域及び前記静脈領域のそれぞれについて、該演算された前記複数の直線のそれぞれの前記２つの交叉する位置の間の距離のうちの最も短い距離を選択することにより、前記動脈領域の幅及び前記静脈領域の幅のそれぞれを求め、
前記動静脈径比演算手段は、該求められた前記動脈領域の幅と前記静脈領域の幅との比を演算して動静脈径比を求める、
ことを特徴とする請求項２に記載の診療支援システム。
【請求項４】
前記演算手段は、
前記撮影手段により撮影された眼底画像の画像データに基づいて、前記眼底画像において互いに略平行に位置する前記動脈領域及び前記静脈領域をそれぞれを抽出する血管領域抽出手段と、
該抽出された前記動脈領域及び前記静脈領域のそれぞれの画像領域上に計測位置を設定する計測位置設定手段と、
を更に備え、
前記抽出手段は、該設定された前記動脈領域及び前記静脈領域のそれぞれの計測位置において、前記動脈領域及び前記静脈領域のそれぞれの両側面のそれぞれの境界を抽出し、
前記交叉位置演算手段は、前記動脈領域及び前記静脈領域のそれぞれについて、前記設定された計測位置を通過する複数の直線のそれぞれと、前記抽出された両側面のそれぞれの境界とが交叉する位置を演算し、
前記距離演算手段は、前記動脈領域及び前記静脈領域のそれぞれについて、該演算された前記複数の直線のそれぞれの前記２つの交叉する位置の間の距離を演算し、
前記距離選択手段は、前記動脈領域及び前記静脈領域のそれぞれについて、該演算された前記複数の直線のそれぞれの前記２つの交叉する位置の間の距離のうちの最も短い距離を選択することにより、前記動脈領域の幅及び前記静脈領域の幅のそれぞれを求め、
前記動静脈径比演算手段は、該求められた前記動脈領域の幅と前記静脈領域の幅との比を演算して動静脈径比を求める、
ことを特徴とする請求項２に記載の診療支援システム。
【請求項５】
前記血管領域は、動脈に相当する動脈領域と静脈に相当する静脈領域とを含み、
前記演算手段は、
前記抽出手段、前記交叉位置演算手段、前記距離演算手段及び前記距離選択手段により、前記血管領域の幅として、前記動脈領域と前記静脈領域との交叉位置の近傍の第１の計測位置における前記静脈領域の幅と、前記動脈領域と前記静脈領域とが交叉しない第２の計測位置における前記静脈領域の幅とをそれぞれ演算し、
該演算された前記第１の計測位置における幅と前記第２の計測位置における幅との比を演算して静脈径比を求める静脈径比演算手段を更に備え、
前記制御手段は、該演算された静脈径比に基づく前記診療情報を前記表示手段に表示させる、
ことを特徴とする請求項１に記載の診療支援システム。
【請求項６】
前記制御手段は、前記撮影手段により撮影された眼底画像を前記表示手段に表示させ、
該表示された眼底画像上に前記第１の計測位置及び前記第２の計測位置のそれぞれを指定するための操作手段を更に備え、
前記抽出手段は、該指定された第１の計測位置及び前記第２の計測位置のそれぞれにおいて、前記静脈領域の両側面のそれぞれの境界を抽出し、
前記交叉位置演算手段は、前記第１の計測位置及び前記第２の計測位置のそれぞれについて、当該計測位置を通過する複数の直線のそれぞれと、前記抽出された両側面のそれぞれの境界とが交叉する位置を演算し、
前記距離演算手段は、前記第１の計測位置及び前記第２の計測位置のそれぞれについて、該演算された前記複数の直線のそれぞれの前記２つの交叉する位置の間の距離を演算し、
前記距離選択手段は、前記第１の計測位置及び前記第２の計測位置のそれぞれについて、該演算された前記複数の直線のそれぞれの前記２つの交叉する位置の間の距離のうちの最も短い距離を選択することにより、当該計測位置における前記静脈領域の幅を求め、
前記静脈径比演算手段は、前記第１の計測位置及び前記第２の計測位置のそれぞれについて該求められた前記静脈領域の幅の比を演算して静脈径比を求める、
ことを特徴とする請求項５に記載の診療支援システム。
【請求項７】
前記制御手段は、前記撮影手段により撮影された眼底画像を前記表示手段に表示させ、
該表示された眼底画像上における前記動脈領域と前記静脈領域との交叉位置を指定するための操作手段を更に備え、
前記演算手段は、該指定された交叉位置の近傍における前記動脈領域の境界を抽出するとともに、該抽出された前記動脈領域の境界から第１の距離だけ離れた前記静脈領域内の位置を前記第１の計測位置として設定し、該境界から前記第１の距離よりも大きな第２の距離だけ離れた前記静脈領域内の位置を前記第２の計測位置として設定する計測位置設定手段を更に備え、
前記抽出手段は、該設定された前記第１の計測位置及び前記第２の計測位置のそれぞれについて、前記静脈領域の両側面のそれぞれの境界を抽出し、
前記交叉位置演算手段は、前記第１の計測位置及び前記第２の計測位置のそれぞれについて、当該計測位置を通過する複数の直線のそれぞれと、前記抽出された両側面のそれぞれの境界とが交叉する位置を演算し、
前記距離演算手段は、前記第１の計測位置及び前記第２の計測位置のそれぞれについて、該演算された前記複数の直線のそれぞれの前記２つの交叉する位置の間の距離を演算し、
前記距離選択手段は、前記第１の計測位置及び前記第２の計測位置のそれぞれについて、該演算された前記複数の直線のそれぞれの前記２つの交叉する位置の間の距離のうちの最も短い距離を選択することにより、当該計測位置における前記静脈領域の幅を求め、
前記静脈径比演算手段は、該求められた前記第１の計測位置における前記静脈領域の幅と前記第２の計測位置における前記静脈領域の幅との比を演算して静脈径比を求める、
ことを特徴とする請求項５に記載の診療支援システム。
【請求項８】
前記演算手段は、
前記撮影手段により撮影された眼底画像の画像データに基づいて、前記動脈領域及び前記静脈領域のそれぞれを抽出する血管領域抽出手段と、
該抽出された前記動脈領域及び前記静脈領域のそれぞれに相当する画像データに基づいて、前記第１の計測位置及び前記第２の計測位置のそれぞれを設定する計測位置設定手段と、
を更に備え、
前記抽出手段は、該設定された前記第１の計測位置及び前記第２の計測位置のそれぞれについて、前記静脈領域の両側面のそれぞれの境界を抽出し、
前記交叉位置演算手段は、前記第１の計測位置及び前記第２の計測位置のそれぞれについて、当該計測位置を通過する複数の直線のそれぞれと、前記抽出された両側面のそれぞれの境界とが交叉する位置を演算し、
前記距離演算手段は、前記第１の計測位置及び前記第２の計測位置のそれぞれについて、該演算された前記複数の直線のそれぞれの前記２つの交叉する位置の間の距離を演算し、
前記距離選択手段は、前記第１の計測位置及び前記第２の計測位置のそれぞれについて、該演算された前記複数の直線のそれぞれの前記２つの交叉する位置の間の距離のうちの最も短い距離を選択することにより、当該計測位置における前記静脈領域の幅を求め、
前記静脈径比演算手段は、該求められた前記第１の計測位置における前記静脈領域の幅と前記第２の計測位置における前記静脈領域の幅との比を演算して静脈径比を求める、
ことを特徴とする請求項５に記載の診療支援システム。
【請求項９】
前記演算手段は、
前記撮影手段により撮影された眼底画像の画像データに基づいて、前記所定の計測位置における血柱反射の幅を演算する血柱反射幅演算手段と、
該演算された前記所定の計測位置における血柱反射の幅と、前記距離選択手段により選択された前記所定の計測位置における前記血管領域の幅との比を演算して血柱反射比を求める血柱反射比演算手段と、
を更に備え、
前記制御手段は、該演算された血柱反射比に基づく前記診療情報を前記表示手段に表示させる、
ことを特徴とする請求項１に記載の診療支援システム。
【請求項１０】
操作手段を更に備え、
前記制御手段は、前記撮影手段により撮影された眼底画像を前記表示手段に表示させ、
前記抽出手段は、該表示された眼底画像上に前記操作手段により指定された計測位置における前記血管領域の両側面のそれぞれの境界を抽出し、
前記交叉位置演算手段は、前記指定された計測位置を通過する複数の直線のそれぞれと、前記抽出された両側面のそれぞれの境界とが交叉する位置を演算し、
前記距離演算手段は、該演算された前記複数の直線のそれぞれの前記２つの交叉する位置の間の距離を演算し、
前記距離選択手段は、該演算された前記複数の直線のそれぞれの前記２つの交叉する位置の間の距離のうちの最も短い距離を、前記指定された計測位置における前記血管領域の幅として選択し、
前記血柱反射幅演算手段は、前記指定された計測位置における血柱反射の幅を演算し、
前記血柱反射比演算手段は、該演算された血柱反射の幅と、前記距離選択手段により選択された前記血管領域の幅との比を演算して、前記指定された計測位置における血柱反射比を求める、
ことを特徴とする請求項９に記載の診療支援システム。
【請求項１１】
前記演算手段は、
前記撮影手段により撮影された眼底画像の画像データに基づいて前記血管領域を抽出する血管領域抽出手段と、
該抽出された血管領域に基づいて計測位置を設定する計測位置設定手段と、
を更に備え、
前記抽出手段は、該設定された計測位置に基づいて、前記血管領域の両側面のそれぞれの境界を抽出し、
前記交叉位置演算手段は、前記設定された計測位置を通過する複数の直線のそれぞれと、前記抽出された両側面のそれぞれの境界とが交叉する位置を演算し、
前記距離演算手段は、該演算された前記複数の直線のそれぞれの前記２つの交叉する位置の間の距離を演算し、
前記距離選択手段は、該演算された前記複数の直線のそれぞれの前記２つの交叉する位置の間の距離のうちの最も短い距離を、前記設定された計測位置における前記血管領域の幅として選択し、
前記血柱反射幅演算手段は、前記設定された計測位置における血柱反射の幅を演算し、
前記血柱反射比演算手段は、該演算された血柱反射の幅と、前記距離選択手段により選択された前記血管領域の幅との比を演算して、前記設定された計測位置における血柱反射比を求める、
ことを特徴とする請求項９に記載の診療支援システム。
【請求項１２】
眼底画像を撮影する撮影手段と、
該撮影された眼底画像の画像データに基づいて、眼底血管に相当する当該眼底画像内の血管領域の幅を演算する演算手段と、
表示手段と、
該表示手段に診療情報を表示させる制御手段と、
を備える診療支援システムであって、
前記演算手段は、
前記画像データに基づいて、所定の計測位置における血柱反射の幅を演算する血柱反射幅演算手段と、
該演算された前記所定の計測位置における血柱反射の幅と、前記演算手段により演算された前記所定の計測位置における前記血管領域の幅との比を演算して血柱反射比を求める血柱反射比演算手段と、
を更に備え、
前記制御手段は、該演算された血柱反射比に基づく前記診療情報を前記表示手段に表示させる、
ことを特徴とする診療支援システム。
【請求項１３】
眼底画像の画像データに基づいて、眼底血管に相当する当該眼底画像内の血管領域の幅を演算する演算手段と、
表示手段と、
該表示手段に診療情報を表示させる制御手段と、
を備える診療支援装置であって、
前記演算手段は、
前記画像データに基づいて、所定の計測位置の近傍領域に含まれる前記血管領域の両側面の境界をそれぞれ抽出する抽出手段と、
前記所定の計測位置を通過する複数の直線のそれぞれについて、当該直線と前記抽出された両側面のそれぞれの境界とが交叉する位置を演算する交叉位置演算手段と、
前記複数の直線のそれぞれについて該演算された２つの前記交叉する位置の間の距離を演算する距離演算手段と、
前記複数の直線のそれぞれについて該演算された距離のうちの最も短い距離を、前記所定の計測位置における前記血管領域の幅として選択する距離選択手段と、
を備え、
前記制御手段は、該選択された前記血管領域の幅に基づく診療情報を前記表示手段に表示させる、
ことを特徴とする診療支援装置。
【請求項１４】
眼底画像の画像データに基づいて、眼底血管に相当する当該眼底画像内の血管領域の幅を演算する演算手段と、
表示手段と、
該表示手段に診療情報を表示させる制御手段と、
を備える診療支援装置であって、
前記演算手段は、
前記画像データに基づいて、所定の計測位置における血柱反射の幅を演算する血柱反射幅演算手段と、
該演算された前記所定の計測位置における血柱反射の幅と、前記演算手段により演算された前記所定の計測位置における前記血管領域の幅との比を演算して血柱反射比を求める血柱反射比演算手段と、
を更に備え、
前記制御手段は、該演算された血柱反射比に基づく前記診療情報を前記表示手段に表示させる、
ことを特徴とする診療支援装置。
【請求項１５】
表示手段を備えるコンピュータを、眼底画像の画像データに基づいて、眼底血管に相当する当該眼底画像内の血管領域の幅を演算する演算手段として機能させるとともに、前記表示手段に診療情報を表示させる制御手段として機能させる診療支援プログラムであって、
前記演算手段を、
前記画像データに基づいて、所定の計測位置の近傍領域に含まれる前記血管領域の両側面の境界をそれぞれ抽出する抽出手段として機能させ、
前記所定の計測位置を通過する複数の直線のそれぞれについて、当該直線と前記抽出された両側面のそれぞれの境界とが交叉する位置を演算する交叉位置演算手段として機能させ、
前記複数の直線のそれぞれについて該演算された２つの前記交叉する位置の間の距離を演算する距離演算手段として機能させ、
前記複数の直線のそれぞれについて該演算された距離のうちの最も短い距離を、前記所定の計測位置における前記血管領域の幅として選択する距離選択手段として機能させ、
前記制御手段を、該選択された前記血管領域の幅に基づく診療情報を前記表示手段に表示させるように機能させる、
ことを特徴とする診療支援プログラム。
【請求項１６】
表示手段を備えるコンピュータを、眼底画像の画像データに基づいて、眼底血管に相当する当該眼底画像内の血管領域の幅を演算する演算手段として機能させるとともに、前記表示手段に診療情報を表示させる制御手段として機能させる診療支援プログラムであって、
前記演算手段を、
前記画像データに基づいて、所定の計測位置における血柱反射の幅を演算する血柱反射幅演算手段として機能させ、
該演算された前記所定の計測位置における血柱反射の幅と、前記演算手段により演算された前記所定の計測位置における前記血管領域の幅との比を演算して血柱反射比を求める血柱反射比演算手段として機能させ、
前記制御手段を、該演算された血柱反射比に基づく前記診療情報を前記表示手段に表示させるように機能させる、
ことを特徴とする診療支援プログラム。
【発明の詳細な説明】
【技術分野】
【０００１】
本発明は、患者の診察や治療の支援に用いられる診療支援システム、診療支援装置及び診療支援プログラムに関し、特に、眼底血管の状態に基づいて行う診療を支援する技術に関するものである。
【背景技術】
【０００２】
眼底画像は、眼底カメラ等の眼科機器を用いて無侵襲で血管の状態を観察できることから、眼の傷病だけでなく循環器系の疾病の診療においても広く用いられている。たとえば、高血圧網膜症やそれ以外の高血圧合併症の危険の予測などがその典型例である。
【０００３】
医師は、眼底血管（網膜や脈絡膜等の眼底部分に位置する血管）の状態を観察することにより、高血圧と密接に関係する動脈硬化の進行度合いなどを確認できることから、眼底血管の状態に基づいて動脈硬化の程度を判定することにより、患者の高血圧の程度を判断することができる。
【０００４】
動脈硬化の程度の判定方法としては、ほぼ平行に位置する動脈と静脈との径の比（「動静脈径比」と呼ぶことにする。）による方法や、動脈と静脈との交叉位置における静脈径と当該交叉位置から離れた位置における静脈径との比（「静脈径比」と呼ぶことにする。）による方法、更には、動脈の血柱反射の亢進による方法などが一般に用いられている（たとえば、特許文献１、非特許文献１参照）。
【０００５】
【特許文献１】特開平１０−７１１２５号公報
【非特許文献１】桜庭知己編集、“特集：高血圧網膜症”、目と健康シリーズ、Ｎｏ．４（堀貞夫シリーズ監修）、［平成１８年４月１４日検索］、インターネット〈ＵＲＬ：ｈｔｔｐ：／／ｗｗｗ．ｓｋｋ−ｈｅａｌｔｈ．ｎｅｔ／ｍｅ／０４／〉
【発明の開示】
【発明が解決しようとする課題】
【０００６】
しかしながら、特許文献１に開示されたような従来の動静脈径比の計測方法では、高い精度で計測を行うことが難しいという問題がある。
【０００７】
特許文献１に記載の発明における血管径の計測は、次のように行うようになっている。まず、眼底血管に細線化処理を施して血管の中心線を生成する。或る計測位置において、この中心線に直行する方向に直線を引く。この直線が血管（血管壁）に交わる２つの点の間の距離を当該計測位置における血管径とする。このような血管径の計測を、血管に沿った複数の計測位置において実行し、それにより得られる複数の血管径の値を平均して、血管径の結果とする。
【０００８】
しかし、細線化処理により得られる血管の中心線は、血管の曲がり具合や輪郭の微小な凹凸の影響によって必ずしも滑らかな曲線（直線を含む）となる訳ではない。そのため、細線化処理により得られた中心線の微分不可能な位置においては傾き（１階微分値）を算出することができず、したがって接線を求めることができないので、当該位置において中心線に直交する直線を求めることができない。特許文献１には、このような不適当な計測位置を回避する方法に関する記載や示唆が為されてないため、血管径の計測精度の劣化が懸念される。更に、場合によっては、血管径を計測できない事態も想定される。
【０００９】
また、細線化処理によれば、血管の輪郭の微小な凹凸に起因する「ヒゲ」が発生するのが一般的である。特許文献１の手法を用いて、「ヒゲ」が発生している位置における血管径を計測することは困難と思われる。なお、特許文献１には、この問題を回避する方法に関する記載や示唆は無い。
【００１０】
また、静脈径比を判定基準として用いる場合、動脈と静脈の交叉位置（の近傍）と、この交叉位置から離れた位置の双方において静脈径を計測する必要がある。しかし、従来の構成では、これらの計測部位を特定する具体的な方法が開示されていないため、静脈径比の計測の自動化と計測精度とを両立させることは難しいと考えられる。
【００１１】
また、動脈の血柱反射の亢進による動脈硬化の程度の判定については、従来、医師等が手作業で行っていたために、医師等に大きな負担が掛かっていた。また、この判定作業には熟練が必要であることから、経験の浅い医師や他科の医師などの非熟練者が判定を行うときには、熟練者ほどの精度や信頼性を期待することは難しかった。
【００１２】
なお、これらの検査は集団検診や人間ドックにおいて用いられるようになってきている。したがって、上記のように他科（たとえば内科）の医師が検査を行うケースも増加していくものと考えられる。また、集団検診や人間ドックにおいては、多数の患者に対して検査を実施するため、検査の自動化（もちろん、高精度を担保した上での自動化である）への要望は、将来一層大きくなっていくことと考えられる。更に、高齢化社会の進行や食生活の西洋化なども、この要望の増大に拍車を掛ける要因と考えられる。
【００１３】
本発明は、このような事情に鑑みてなされたものであり、眼底血管の検査に関わる計測の自動化を図りつつ、当該計測の精度の向上を図るにより、眼底血管の状態に基づいて行う診療を好適に支援することが可能な診療支援システム、診療支援装置及び診療支援プログラムを提供することを目的とする。
【課題を解決するための手段】
【００１４】
上記目的を達成するために、請求項１に記載の発明は、眼底画像を撮影する撮影手段と、該撮影された眼底画像の画像データに基づいて、眼底血管に相当する当該眼底画像内の血管領域の幅を演算する演算手段と、表示手段と、該表示手段に診療情報を表示させる制御手段と、を備える診療支援システムであって、前記演算手段は、前記画像データに基づいて、所定の計測位置の近傍領域に含まれる前記血管領域の両側面の境界をそれぞれ抽出する抽出手段と、前記所定の計測位置を通過する複数の直線のそれぞれについて、当該直線と前記抽出された両側面のそれぞれの境界とが交叉する位置を演算する交叉位置演算手段と、前記複数の直線のそれぞれについて該演算された２つの前記交叉する位置の間の距離を演算する距離演算手段と、前記複数の直線のそれぞれについて該演算された距離のうちの最も短い距離を、前記所定の計測位置における前記血管領域の幅として選択する距離選択手段と、を備え、前記制御手段は、該選択された前記血管領域の幅に基づく診療情報を前記表示手段に表示させる、ことを特徴とする。
【００１５】
また、請求項２に記載の発明は、請求項１に記載の診療支援システムであって、前記血管領域は、動脈に相当する動脈領域と静脈に相当する静脈領域とを含み、前記演算手段は、前記抽出手段、前記交叉位置演算手段、前記距離演算手段及び前記距離選択手段により、前記血管領域の幅として、前記動脈領域の幅と前記静脈領域の幅とをそれぞれ演算し、該演算された前記動脈領域の幅と前記静脈領域の幅との比を演算して動静脈径比を求める動静脈径比演算手段を更に備え、前記制御手段は、該演算された動静脈径比に基づく前記診療情報を前記表示手段に表示させる、ことを特徴とする。
【００１６】
また、請求項３に記載の発明は、請求項２に記載の診療支援システムであって、操作手段を更に備え、前記制御手段は、前記撮影手段により撮影された眼底画像を前記表示手段に表示させ、前記抽出手段は、該表示された眼底画像の前記動脈領域及び前記静脈領域のそれぞれの画像領域上に前記操作手段によって計測位置が指定されたときに、該指定されたそれぞれの計測位置において、前記動脈領域及び前記静脈領域のそれぞれの両側面のそれぞれの境界を抽出し、前記交叉位置演算手段は、前記動脈領域及び前記静脈領域のそれぞれについて、前記指定された計測位置を通過する複数の直線のそれぞれと、前記抽出された両側面のそれぞれの境界とが交叉する位置を演算し、前記距離演算手段は、前記動脈領域及び前記静脈領域のそれぞれについて、該演算された前記複数の直線のそれぞれの前記２つの交叉する位置の間の距離を演算し、前記距離選択手段は、前記動脈領域及び前記静脈領域のそれぞれについて、該演算された前記複数の直線のそれぞれの前記２つの交叉する位置の間の距離のうちの最も短い距離を選択することにより、前記動脈領域の幅及び前記静脈領域の幅のそれぞれを求め、前記動静脈径比演算手段は、該求められた前記動脈領域の幅と前記静脈領域の幅との比を演算して動静脈径比を求める、ことを特徴とする。
【００１７】
また、請求項４に記載の発明は、請求項２に記載の診療支援システムであって、前記演算手段は、前記撮影手段により撮影された眼底画像の画像データに基づいて、前記眼底画像において互いに略平行に位置する前記動脈領域及び前記静脈領域をそれぞれを抽出する血管領域抽出手段と、該抽出された前記動脈領域及び前記静脈領域のそれぞれの画像領域上に計測位置を設定する計測位置設定手段と、を更に備え、前記抽出手段は、該設定された前記動脈領域及び前記静脈領域のそれぞれの計測位置において、前記動脈領域及び前記静脈領域のそれぞれの両側面のそれぞれの境界を抽出し、前記交叉位置演算手段は、前記動脈領域及び前記静脈領域のそれぞれについて、前記設定された計測位置を通過する複数の直線のそれぞれと、前記抽出された両側面のそれぞれの境界とが交叉する位置を演算し、前記距離演算手段は、前記動脈領域及び前記静脈領域のそれぞれについて、該演算された前記複数の直線のそれぞれの前記２つの交叉する位置の間の距離を演算し、前記距離選択手段は、前記動脈領域及び前記静脈領域のそれぞれについて、該演算された前記複数の直線のそれぞれの前記２つの交叉する位置の間の距離のうちの最も短い距離を選択することにより、前記動脈領域の幅及び前記静脈領域の幅のそれぞれを求め、前記動静脈径比演算手段は、該求められた前記動脈領域の幅と前記静脈領域の幅との比を演算して動静脈径比を求める、ことを特徴とする。
【００１８】
また、請求項５に記載の発明は、請求項１に記載の診療支援システムであって、前記血管領域は、動脈に相当する動脈領域と静脈に相当する静脈領域とを含み、前記演算手段は、前記抽出手段、前記交叉位置演算手段、前記距離演算手段及び前記距離選択手段により、前記血管領域の幅として、前記動脈領域と前記静脈領域との交叉位置の近傍の第１の計測位置における前記静脈領域の幅と、前記動脈領域と前記静脈領域とが交叉しない第２の計測位置における前記静脈領域の幅とをそれぞれ演算し、該演算された前記第１の計測位置における幅と前記第２の計測位置における幅との比を演算して静脈径比を求める静脈径比演算手段を更に備え、前記制御手段は、該演算された静脈径比に基づく前記診療情報を前記表示手段に表示させる、ことを特徴とする。
【００１９】
また、請求項６に記載の発明は、請求項５に記載の診療支援システムであって、前記制御手段は、前記撮影手段により撮影された眼底画像を前記表示手段に表示させ、該表示された眼底画像上に前記第１の計測位置及び前記第２の計測位置のそれぞれを指定するための操作手段を更に備え、前記抽出手段は、該指定された第１の計測位置及び前記第２の計測位置のそれぞれにおいて、前記静脈領域の両側面のそれぞれの境界を抽出し、前記交叉位置演算手段は、前記第１の計測位置及び前記第２の計測位置のそれぞれについて、当該計測位置を通過する複数の直線のそれぞれと、前記抽出された両側面のそれぞれの境界とが交叉する位置を演算し、前記距離演算手段は、前記第１の計測位置及び前記第２の計測位置のそれぞれについて、該演算された前記複数の直線のそれぞれの前記２つの交叉する位置の間の距離を演算し、前記距離選択手段は、前記第１の計測位置及び前記第２の計測位置のそれぞれについて、該演算された前記複数の直線のそれぞれの前記２つの交叉する位置の間の距離のうちの最も短い距離を選択することにより、当該計測位置における前記静脈領域の幅を求め、前記静脈径比演算手段は、前記第１の計測位置及び前記第２の計測位置のそれぞれについて該求められた前記静脈領域の幅の比を演算して静脈径比を求める、ことを特徴とする。
【００２０】
また、請求項７に記載の発明は、請求項５に記載の診療支援システムであって、前記制御手段は、前記撮影手段により撮影された眼底画像を前記表示手段に表示させ、
該表示された眼底画像上における前記動脈領域と前記静脈領域との交叉位置を指定するための操作手段を更に備え、前記演算手段は、該指定された交叉位置の近傍における前記動脈領域の境界を抽出するとともに、該抽出された前記動脈領域の境界から第１の距離だけ離れた前記静脈領域内の位置を前記第１の計測位置として設定し、該境界から前記第１の距離よりも大きな第２の距離だけ離れた前記静脈領域内の位置を前記第２の計測位置として設定する計測位置設定手段を更に備え、前記抽出手段は、該設定された前記第１の計測位置及び前記第２の計測位置のそれぞれについて、前記静脈領域の両側面のそれぞれの境界を抽出し、前記交叉位置演算手段は、前記第１の計測位置及び前記第２の計測位置のそれぞれについて、当該計測位置を通過する複数の直線のそれぞれと、前記抽出された両側面のそれぞれの境界とが交叉する位置を演算し、前記距離演算手段は、前記第１の計測位置及び前記第２の計測位置のそれぞれについて、該演算された前記複数の直線のそれぞれの前記２つの交叉する位置の間の距離を演算し、前記距離選択手段は、前記第１の計測位置及び前記第２の計測位置のそれぞれについて、該演算された前記複数の直線のそれぞれの前記２つの交叉する位置の間の距離のうちの最も短い距離を選択することにより、当該計測位置における前記静脈領域の幅を求め、前記静脈径比演算手段は、該求められた前記第１の計測位置における前記静脈領域の幅と前記第２の計測位置における前記静脈領域の幅との比を演算して静脈径比を求める、ことを特徴とする。
【００２１】
また、請求項８に記載の発明は、請求項５に記載の診療支援システムであって、前記演算手段は、前記撮影手段により撮影された眼底画像の画像データに基づいて、前記動脈領域及び前記静脈領域のそれぞれを抽出する血管領域抽出手段と、該抽出された前記動脈領域及び前記静脈領域のそれぞれに相当する画像データに基づいて、前記第１の計測位置及び前記第２の計測位置のそれぞれを設定する計測位置設定手段と、を更に備え、前記抽出手段は、該設定された前記第１の計測位置及び前記第２の計測位置のそれぞれについて、前記静脈領域の両側面のそれぞれの境界を抽出し、前記交叉位置演算手段は、前記第１の計測位置及び前記第２の計測位置のそれぞれについて、当該計測位置を通過する複数の直線のそれぞれと、前記抽出された両側面のそれぞれの境界とが交叉する位置を演算し、前記距離演算手段は、前記第１の計測位置及び前記第２の計測位置のそれぞれについて、該演算された前記複数の直線のそれぞれの前記２つの交叉する位置の間の距離を演算し、前記距離選択手段は、前記第１の計測位置及び前記第２の計測位置のそれぞれについて、該演算された前記複数の直線のそれぞれの前記２つの交叉する位置の間の距離のうちの最も短い距離を選択することにより、当該計測位置における前記静脈領域の幅を求め、前記静脈径比演算手段は、該求められた前記第１の計測位置における前記静脈領域の幅と前記第２の計測位置における前記静脈領域の幅との比を演算して静脈径比を求める、ことを特徴とする。
【００２２】
また、請求項９に記載の発明は、請求項１に記載の診療支援システムであって、前記演算手段は、前記撮影手段により撮影された眼底画像の画像データに基づいて、前記所定の計測位置における血柱反射の幅を演算する血柱反射幅演算手段と、該演算された前記所定の計測位置における血柱反射の幅と、前記距離選択手段により選択された前記所定の計測位置における前記血管領域の幅との比を演算して血柱反射比を求める血柱反射比演算手段と、を更に備え、前記制御手段は、該演算された血柱反射比に基づく前記診療情報を前記表示手段に表示させる、ことを特徴とする。
【００２３】
また、請求項１０に記載の発明は、請求項９に記載の診療支援システムであって、操作手段を更に備え、前記制御手段は、前記撮影手段により撮影された眼底画像を前記表示手段に表示させ、前記抽出手段は、該表示された眼底画像上に前記操作手段により指定された計測位置における前記血管領域の両側面のそれぞれの境界を抽出し、前記交叉位置演算手段は、前記指定された計測位置を通過する複数の直線のそれぞれと、前記抽出された両側面のそれぞれの境界とが交叉する位置を演算し、前記距離演算手段は、該演算された前記複数の直線のそれぞれの前記２つの交叉する位置の間の距離を演算し、前記距離選択手段は、該演算された前記複数の直線のそれぞれの前記２つの交叉する位置の間の距離のうちの最も短い距離を、前記指定された計測位置における前記血管領域の幅として選択し、前記血柱反射幅演算手段は、前記指定された計測位置における血柱反射の幅を演算し、前記血柱反射比演算手段は、該演算された血柱反射の幅と、前記距離選択手段により選択された前記血管領域の幅との比を演算して、前記指定された計測位置における血柱反射比を求める、ことを特徴とする。
【００２４】
また、請求項１１に記載の発明は、請求項９に記載の診療支援システムであって、前記演算手段は、前記撮影手段により撮影された眼底画像の画像データに基づいて前記血管領域を抽出する血管領域抽出手段と、該抽出された血管領域に基づいて計測位置を設定する計測位置設定手段と、を更に備え、前記抽出手段は、該設定された計測位置に基づいて、前記血管領域の両側面のそれぞれの境界を抽出し、前記交叉位置演算手段は、前記設定された計測位置を通過する複数の直線のそれぞれと、前記抽出された両側面のそれぞれの境界とが交叉する位置を演算し、前記距離演算手段は、該演算された前記複数の直線のそれぞれの前記２つの交叉する位置の間の距離を演算し、前記距離選択手段は、該演算された前記複数の直線のそれぞれの前記２つの交叉する位置の間の距離のうちの最も短い距離を、前記設定された計測位置における前記血管領域の幅として選択し、前記血柱反射幅演算手段は、前記設定された計測位置における血柱反射の幅を演算し、前記血柱反射比演算手段は、該演算された血柱反射の幅と、前記距離選択手段により選択された前記血管領域の幅との比を演算して、前記設定された計測位置における血柱反射比を求める、ことを特徴とする。
【００２５】
また、請求項１２に記載の発明は、眼底画像を撮影する撮影手段と、該撮影された眼底画像の画像データに基づいて、眼底血管に相当する当該眼底画像内の血管領域の幅を演算する演算手段と、表示手段と、該表示手段に診療情報を表示させる制御手段と、を備える診療支援システムであって、前記演算手段は、前記画像データに基づいて、所定の計測位置における血柱反射の幅を演算する血柱反射幅演算手段と、該演算された前記所定の計測位置における血柱反射の幅と、前記演算手段により演算された前記所定の計測位置における前記血管領域の幅との比を演算して血柱反射比を求める血柱反射比演算手段と、を更に備え、前記制御手段は、該演算された血柱反射比に基づく前記診療情報を前記表示手段に表示させる、ことを特徴とする。
【００２６】
また、請求項１３に記載の発明は、眼底画像の画像データに基づいて、眼底血管に相当する当該眼底画像内の血管領域の幅を演算する演算手段と、表示手段と、該表示手段に診療情報を表示させる制御手段と、を備える診療支援装置であって、前記演算手段は、前記画像データに基づいて、所定の計測位置の近傍領域に含まれる前記血管領域の両側面の境界をそれぞれ抽出する抽出手段と、前記所定の計測位置を通過する複数の直線のそれぞれについて、当該直線と前記抽出された両側面のそれぞれの境界とが交叉する位置を演算する交叉位置演算手段と、前記複数の直線のそれぞれについて該演算された２つの前記交叉する位置の間の距離を演算する距離演算手段と、前記複数の直線のそれぞれについて該演算された距離のうちの最も短い距離を、前記所定の計測位置における前記血管領域の幅として選択する距離選択手段と、を備え、前記制御手段は、該選択された前記血管領域の幅に基づく診療情報を前記表示手段に表示させる、ことを特徴とする。
【００２７】
また、請求項１４に記載の発明は、眼底画像の画像データに基づいて、眼底血管に相当する当該眼底画像内の血管領域の幅を演算する演算手段と、表示手段と、該表示手段に診療情報を表示させる制御手段と、を備える診療支援装置であって、前記演算手段は、前記画像データに基づいて、所定の計測位置における血柱反射の幅を演算する血柱反射幅演算手段と、該演算された前記所定の計測位置における血柱反射の幅と、前記演算手段により演算された前記所定の計測位置における前記血管領域の幅との比を演算して血柱反射比を求める血柱反射比演算手段と、を更に備え、前記制御手段は、該演算された血柱反射比に基づく前記診療情報を前記表示手段に表示させる、ことを特徴とする。
【００２８】
また、請求項１５に記載の発明は、表示手段を備えるコンピュータを、眼底画像の画像データに基づいて、眼底血管に相当する当該眼底画像内の血管領域の幅を演算する演算手段として機能させるとともに、前記表示手段に診療情報を表示させる制御手段として機能させる診療支援プログラムであって、前記演算手段を、前記画像データに基づいて、所定の計測位置の近傍領域に含まれる前記血管領域の両側面の境界をそれぞれ抽出する抽出手段として機能させ、前記所定の計測位置を通過する複数の直線のそれぞれについて、当該直線と前記抽出された両側面のそれぞれの境界とが交叉する位置を演算する交叉位置演算手段として機能させ、前記複数の直線のそれぞれについて該演算された２つの前記交叉する位置の間の距離を演算する距離演算手段として機能させ、前記複数の直線のそれぞれについて該演算された距離のうちの最も短い距離を、前記所定の計測位置における前記血管領域の幅として選択する距離選択手段として機能させ、前記制御手段を、該選択された前記血管領域の幅に基づく診療情報を前記表示手段に表示させるように機能させる、ことを特徴とする。
【００２９】
また、請求項１６に記載の発明は、表示手段を備えるコンピュータを、眼底画像の画像データに基づいて、眼底血管に相当する当該眼底画像内の血管領域の幅を演算する演算手段として機能させるとともに、前記表示手段に診療情報を表示させる制御手段として機能させる診療支援プログラムであって、前記演算手段を、前記画像データに基づいて、所定の計測位置における血柱反射の幅を演算する血柱反射幅演算手段として機能させ、該演算された前記所定の計測位置における血柱反射の幅と、前記演算手段により演算された前記所定の計測位置における前記血管領域の幅との比を演算して血柱反射比を求める血柱反射比演算手段として機能させ、前記制御手段を、該演算された血柱反射比に基づく前記診療情報を前記表示手段に表示させるように機能させる、ことを特徴とする。
【発明の効果】
【００３０】
本発明によれば、眼底画像を撮影し、この撮影された眼底画像の画像データに基づいて、計測位置の近傍領域に含まれる血管領域の両側面の境界をそれぞれ抽出し、当該計測位置を通過する複数の直線のそれぞれについて、その直線と血管領域の境界との交叉位置を演算し、各直線について演算された２つの交叉位置の間の距離を演算し、演算された複数の距離のうちの最短の距離を当該血管領域の幅として選択し、この血管領域の幅に基づく診療情報を表示させるように作用するので、眼底血管の幅の計測に基づく検査の自動化を図ることができる。
【００３１】
また、計測位置を通過する複数の直線に基づく複数の血管幅の候補のうちから、最短のものを選択して血管幅として採用しているので、血管幅を高精度で計測することが可能である。
【００３２】
また、本発明は、眼底画像を撮影し、この撮影された眼底画像の画像データに基づいて、眼底血管に相当する当該眼底画像内の血管領域の幅を演算し、この演算結果に基づく診療情報を表示させるものであって、特に、撮影された眼底画像の画像データに基づいて、所定の計測位置における血柱反射の幅を演算し、この血柱反射の幅と血管領域の幅との比を演算して血柱反射比を求め、この演算された血柱反射比に基づく診療情報を表示させるように作用する。それにより、血柱反射比に基づく検査の自動化を図りつつ、検査精度の向上を図ることが可能である。
【発明を実施するための最良の形態】
【００３３】
本発明に係る診療支援システム、診療支援装置及び診療支援プログラムの好適な実施の形態の一例について、図面を参照しながら詳細に説明する。
【００３４】
本発明は、眼底画像上の眼底血管の状態に基づく診療情報をユーザに提供することにより診療を支援するものである。以下、このように作用する本発明の第１、第２、第３の実施の形態についてそれぞれ説明する。
【００３５】
第１の実施の形態は、被検者の眼底における動脈径と静脈径との比（動静脈径比）に基づく診療情報を提供するものである。第２の実施の形態は、眼底上において動脈と静脈とが交叉する位置の近くにおける静脈径と、当該交叉位置から離れた位置における静脈径との比（静脈径比）に基づく診断情報を提供するものである。第３の実施形態は、眼底上の動脈の血柱反射の亢進の判定に用いられる血柱反射比（動脈の血柱反射の幅（血柱反射幅）と血管の幅（動脈径）との比）に基づく診断情報を提供するものである。
【００３６】
〈第１の実施の形態〉
本発明の第１の実施の形態について説明する。図１に示すブロック図は、本実施形態に係る診療支援システムの全体構成の一例を表している。同図に示す診療支援システム１は、眼科撮影装置２と診療支援装置１０とを含んで構成される。
【００３７】
眼科撮影装置２と診療支援装置１０は、ＬＡＮ（Ｌｏｃａｌ  Ａｒｅａ  Ｎｅｔｗｏｒｋ）ケーブルや専用線等の接続線を介して通信可能に接続されている。なお、これら装置の通信態様は、有線通信に限定されるものではなく、電波等を用いた無線通信であってもよい。
【００３８】
［眼科撮影装置］
眼科撮影装置２は、眼科分野において使用される撮影装置であり、特に、被検眼の眼底を撮影し、その画像データ（デジタルデータ）を出力するように構成された装置である。この眼科撮影装置２は、本発明の「撮影手段」の一例に相当するものである。
【００３９】
眼科撮影装置２は、ＣＣＤ（Ｃｈａｒｇｅ  Ｃｏｕｐｌｅｄ  Ｄｅｖｉｃｅｓ）イメージセンサや、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ；相補性型金属酸化物半導体）イメージセンサ等の撮像素子を内蔵したデジタル方式の撮影装置であり、たとえば眼底カメラや細隙灯顕微鏡装置（スリットランプ）等の眼科撮影装置によって構成される。
【００４０】
このような眼底カメラや細隙灯顕微鏡装置としては、任意の公知のものを使用することができる（眼底カメラとしては特開２００６−２６０９７号公報等を参照。細隙灯顕微鏡装置としては特開２００５−２２４２９８号公報等を参照。）。
【００４１】
なお、図１に示す診療支援システム１には、撮影手段が１つしか設けられていないが、本発明に係る診療支援システムに設けられる撮影手段（眼科撮影装置）の個数は任意である。また、複数の眼科撮影装置を設ける場合、全て同種類の装置を用いてもよいし、２種類以上の装置を併用するようにしてもよい。
【００４２】
［診療支援装置］
診療支援装置１０は、眼科撮影装置２から入力される眼底画像の画像データに基づいて眼底の動静脈径比を演算し、この動静脈径比の演算結果を表示するように機能する。ここで、「診療情報」とは、患者の診察や治療を行うときに医師によって参照される任意の情報を意味している。
【００４３】
〔ハードウェア構成〕
図１に示す機能的な構成を説明する前に、診療支援装置１０のハードウェア構成について説明する。図２のブロック図は、この診療支援装置１０のハードウェア構成の一例を表している。
【００４４】
この図２に示す診療支援装置１０は、一般的なコンピュータと同様のハードウェア構成を備えている。具体的には、診療支援装置１０は、ＣＰＵ（Ｃｅｎｔｒａｌ  Ｐｒｏｃｅｓｓｉｎｇ  Ｕｎｉｔ）等のマイクロプロセッサ２１、ＲＡＭ２２、ＲＯＭ２３、ハードディスクドライブ（ＨＤＤ）２４、キーボード２５、マウス２６、ディスプレイ２７、通信インターフェイス（Ｉ／Ｆ）２８などを含んで構成される。これら各部は、バス２０を介して接続されている。
【００４５】
マイクロプロセッサ２１は、ハードディスクドライブ２４に格納された診療支援プログラム２４ａをＲＡＭ２２上に展開することにより、本実施形態に特徴的な動作を実行する。
【００４６】
また、マイクロプロセッサ２１は、診療支援装置１０の各部の制御や、各種の演算処理などを実行する。また、キーボード２５やマウス２６からの操作信号に対応する装置各部の制御、ディスプレイ２７に各種の画面や画像を表示させる処理の制御、通信インターフェイス２８による各種のデータや信号等の送受信処理の制御などを実行する。
【００４７】
キーボード２５、マウス２６及びディスプレイ２７は、この診療支援装置１０のユーザインターフェイス（Ｕｓｅｒ  Ｉｎｔｅｒｆａｃｅ）として使用される。
【００４８】
キーボード２５は、たとえば文字や数字等をタイピング入力するためのデバイスとして用いられる。マウス２６は、ディスプレイ２７の表示画面に対する各種の情報入力や操作指示を行うためのポインティングデバイスとして用いられる。
【００４９】
また、ディスプレイ２７は、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）ディスプレイ等の任意の形態の表示デバイスである。このディスプレイ２７には、眼科撮影装置２によって撮影された眼底画像等の各種の医用画像や、各種の画面などが表示される。この表示処理は、前述のようにマイクロプロセッサ２１によって制御される。
【００５０】
なお、診療支援装置１０のユーザインターフェイスは、このような構成に限定されるものではなく、たとえばトラックボール、ジョイスティック、コントロールパネル、タッチパネル式のＬＣＤなど、各種情報を表示出力する機能、各種情報を入力する機能、各種操作を行う機能を具備する任意のユーザインターフェイス手段を用いて構成することが可能である。
【００５１】
通信インターフェイス２８は、眼科撮影装置２から出力された信号や情報（たとえば眼底画像の画像データ）を接続線Ｌを介して受信する機能を有する。また、通信インターフェイス２８は、必要に応じて、各種の信号やデータを眼科撮影装置２に送信する機能を有する。
【００５２】
この通信インターフェイス２８は、たとえばＬＡＮカード等のネットワークアダプタを含んで構成される。また、診療支援装置１０がインターネット等の広域ネットワークに接続されている場合には、通信インターフェイス２８はモデム等の通信機器を含んで構成される。
【００５３】
なお、この実施形態では、診療支援装置１０内のハードディスクドライブ２４に診療支援プログラム２４ａを格納しているが、ネットワーク上のサーバに診療支援プログラム２４ａをあらかじめ格納しておくとともに、当該サーバのクライアントとして診療支援装置１０が動作するように構成することも可能である。このような構成は、たとえば、医療機関内に２台以上の診療支援装置１０を設ける運用形態を採用する場合などにおいて有効である。
【００５４】
〔機能的構成〕
以上のようなハードウェア構成を有する診療支援装置１０の機能的構成について、図１を参照しつつ説明する。
【００５５】
この診療支援装置１０には、演算処理部１１、ユーザインターフェイス１２及び制御部１３が設けられている。
【００５６】
（ユーザインターフェイスについて）
最初にユーザインターフェイス１２について説明する。このユーザインターフェイス１２には、ユーザが診療支援装置１０を操作したりデータ入力を行ったりするための操作部１２１と、各種の画面や画像などの情報を表示するための表示部１２２とが設けられている。
【００５７】
操作部１２１は、図２に示すキーボード２５やマウス２６等の各種の操作デバイスや入力デバイスを含んで構成される。この操作部１２１は、本発明の「操作手段」の一例として機能するものである。
【００５８】
また、表示部１２２は、ディスプレイ２７等の表示デバイスを含んで構成される。この表示部１２２は、本発明の「表示手段」の一例として機能するものである。
【００５９】
表示部１２２に眼底画像が表示されているとき、操作部１２１（マウス２６）に対する操作に応じて表示画面上を移動するマウスポインタが同時に表示される。ユーザは、操作部１２１を操作することにより、表示された眼底画像上における所望の位置や領域を指定することができる。
【００６０】
眼底画像上の位置の指定は、たとえば、マウス２６を操作してマウスポインタを所望の位置に配置させ、その状態でマウスボタン（図示せず）をクリックすることにより行うことができる。
【００６１】
また、眼底画像上の領域の指定は、たとえば次のようにして行うことができる。まず、マウス２６を操作してマウスポインタを画像上の第１の位置に配置させ、その状態でマウスボタンを押下する。次に、マウスボタンを押下した状態を保持しつつマウス２６を操作して、マウスポインタを第２の位置まで移動させて押下状態を解除する。それにより、第１の位置と第２の位置を対角線上の２頂点とする矩形の画像領域が眼底画像上に指定される。
【００６２】
（制御部について）
制御部１３は、表示部１２２による各種の画面や医用画像（眼底画像等）の表示処理の制御や、ユーザが行った操作に対応して操作部１２１から入力される操作信号に基づくシステム各部の操作などを実行する。制御部１３は、本発明の「制御手段」の一例として機能するものであり、診療支援プログラム２４ａに基づいて動作するマイクロプロセッサ２１を含んで構成される。
【００６３】
制御部１３には、診療情報生成部１３１が設けられている。この診療情報生成部１３１は、演算処理部１１による演算処理の結果（後述）に基づいて、表示部１２２に表示させる診療情報を生成するように機能する。この診療情報生成部１３１の具体的な動作態様については後述する。
【００６４】
（演算処理部について）
演算処理部１１は、本実施形態に特徴的な演算処理を実行するもので、本発明の「演算手段」の一例として機能するものである。この演算処理部１１は、診療支援プログラム２４ａに基づいて動作するマイクロプロセッサ２１を含んで構成される。
【００６５】
演算処理部１１は、眼科撮影装置２によって撮影された眼底画像の画像データに基づき、当該画像内において眼底血管に相当する画像領域（「血管領域」と呼ぶことがある。）の幅を演算する処理を行う。
【００６６】
特に、演算処理部１１は、ほぼ平行に位置する動脈と静脈について、当該動脈に相当する画像領域（「動脈領域」と呼ぶことがある。）の幅を演算し、当該静脈に相当する画像領域（「静脈領域」と呼ぶことがある。）の幅を演算するとともに、それらの比（動脈領域の幅／静脈領域の幅＝：動静脈径比）を演算するように機能する。
【００６７】
このような演算処理を実行するために、演算処理部１１には、血管領域抽出部１１１、計測位置設定部１１２、近傍領域設定部１１３、血管境界抽出部１１４、交叉位置演算部１１５、交叉位置間距離演算部１１６、交叉位置間距離選択部１１７及び動静脈径比演算部１１８が設けられている。
【００６８】
ここで、点線枠１１０で囲まれた血管領域抽出部１１１と計測位置設定部１１２は、動静脈径比の計測位置（動脈領域、静脈領域の幅の計測位置）を自動で設定する使用形態が適用される場合にのみ動作する。
【００６９】
なお、計測位置を自動で設定するか或いはユーザが手作業で指定するかは、たとえばユーザインターフェイス１２により選択的に指定できるようになっている。ただし、本発明に係る診療支援システム、診療支援装置及び診療支援プログラムは、計測位置の設定を常に自動的に行うように構成されていてもよいし、常に手作業で行う要に構成されていてもよい。後者を採用する場合、血管領域抽出部１１１と計測位置設定部１１２を設ける必要はない。
【００７０】
（血管領域抽出部）
血管領域抽出部１１１は、眼科撮影装置２により撮影された眼底画像の画像データに基づいて、この眼底画像において互いにほぼ平行に位置する動脈領域と静脈領域とを抽出する処理を実行するもので、この発明の「血管領域抽出手段」の一例として機能するものである。
【００７１】
そのために、血管領域抽出部１１１は、まず、眼底画像の画像データに基づいて、この眼底画像における血管領域を抽出する。この抽出処理は、画像に含まれる分岐構造を有する抽出対象領域（血管領域）を選択的に抽出するための任意の公知の手法を用いて行うことができる。たとえば、画像の各画素の画素値に対して閾値処理を施して対象領域を抽出する手法などを使用できる。その場合、眼底画像における血管領域に対応する画素値の範囲の情報を用いて、血管領域とそれ以外の画像領域とを区別することにより、血管領域を抽出する。
【００７２】
次に、血管領域抽出部１１１は、抽出された血管領域を動脈領域と静脈領域とに分割する処理を行う。この処理は、たとえば、動脈領域に対応する画素値の範囲の情報と、静脈領域に対応する画素値の範囲の情報とに基づいて実行することができる。ここで、動脈領域と静脈領域とでは、一般に画像の明るさ（輝度値）が異なっている（すなわち、画像データ上は画素値の相異となって現れている）ので、この輝度値の差を利用することにより、動脈領域に対応する輝度値と静脈領域に対応する輝度値との境界値（閾値）を設定することができる。
【００７３】
なお、血管領域抽出部１１１が最初に実行する抽出処理において、動脈領域に対応する画素値の範囲の情報と、静脈領域に対応する画素値の範囲の情報とを参照することにより、動脈領域と静脈領域のそれぞれを眼底画像から直接に抽出するようにしてもよい。
【００７４】
続いて、血管領域抽出部１１１は、抽出された動脈領域と静脈領域について、これらの画像領域がほぼ平行になっている部位を探索する。この処理は、たとえば次のようにして行うことができる。まず、動脈領域と静脈領域をそれぞれ細線化する。
【００７５】
次に、動脈領域及び静脈領域のそれぞれについて、その細線化画像上の各点（画素）における接線の向きを求める。このとき、微分不可能な点については、接線を求めなくてもよい（一般に、微分不可能な点（画素）が幾つも連続する事態は想定されないので、微分可能な点についてのみ接線を求めれば十分である。）。
【００７６】
更に、動脈領域の細線化画像と静脈領域の細線化画像との間隔が、所定距離（事前に設定されている。）以下である部位を探索する。それにより得られた動脈領域と静脈領域とが近接している部位（動脈領域と静脈領域とが上記所定距離以下の間隔担っている部位）のうちから、接線の向きがほぼ同じになっている部位を探索する。この探索処理は、動脈領域の細線化画像と静脈領域の細線化画像とが近接している部位について、それらの部位の各点の接線の向きを比較し、接線の向きの差が所定角度（事前に設定されている）以下である部位を探索することによって行うことができる。
【００７７】
最後に、血管領域抽出部１１１は、このようにして探索された、接線の向きの差が所定角度以下である動脈領域の部位と静脈領域の部位のうち、たとえば間隔が最も小さいペアを選択し、計測位置の設定対象となる部位を決定する。
【００７８】
血管領域抽出部１１１は、上述のような処理を行うことにより、眼科撮影装置２により撮影された眼底画像において、互いにほぼ平行に位置する動脈領域の部位と静脈領域の部位とを抽出する。
【００７９】
（計測位置設定部）
計測位置設定部１１２は、血管領域抽出部１１１により抽出された動脈領域及び静脈領域のそれぞれの画像領域上に計測位置を設定する処理を行うもので、本発明の「計測位置設定手段」の一例として機能する。
【００８０】
血管領域抽出部１１１により抽出される画像領域は、互いにほぼ平行に位置する動脈領域の部位と静脈領域の部位である。計測位置設定部１１２は、この動脈領域の部位と静脈領域の部位のそれぞれについて、その部位内の任意の位置を計測位置として設定する。この計測位置は、動静脈径比の計測に供される位置である。この計測位置は、たとえば、血管領域抽出部１１１により抽出された画像領域において、接線の向きの差が最も小さい動脈領域の位置と静脈領域の位置とに設定することができる。
【００８１】
（近傍領域設定部）
近傍領域設定部１１３は、動脈領域及び静脈領域のそれぞれにおける動静脈径比の計測位置について、その計測位置を中心とし所定の半径を有する円を形成し、この円の内部領域を、当該計測位置の近傍領域として設定する処理を行う。
【００８２】
ここで、計測位置を中心とする円の半径は、たとえば、臨床的に知られている眼底血管の幅に基づいて、円の直径がこの血管幅よりも大きくなるように設定されている。
【００８３】
なお、本実施形態では、動静脈径比の計測位置をユーザが手作業で指定する場合（ユーザインターフェイス１２を用いる場合）と、自動設定する場合（血管領域抽出部１１及び計測位置設定部１１２が動作する場合）とについて説明する。前者の場合、近傍領域設定部１１３は、ユーザにより指定された計測位置の周囲に近傍領域を設定するように動作する。一方、後者の場合、近傍領域設定部１１３は、計測位置設定部１１２により設定された計測位置の周囲に近傍領域を設定するように動作する。
【００８４】
（血管境界抽出部）
血管境界抽出部１１４は、眼科撮影装置２により撮影された眼底画像の画像データに基づいて、動静脈径比の各計測位置について、その近傍領域に含まれる血管領域の両方の側面（両側面）の境界をそれぞれ抽出する処理を行うもので、本発明の「抽出手段」の一例として機能するものである。なお、計測位置は、手作業で指定される場合と自動的に設定される場合とがある。これらの各場合について、血管境界抽出部１１４は次のような処理を実行する。
【００８５】
まず、計測位置が手作業で指定された場合、すなわち、表示部１２２に表示された眼底画像上に操作部１２１にて計測位置が指定された場合には、血管境界抽出部１１４は、表示された眼底画像の動脈領域と静脈領域のそれぞれに指定された計測位置について、その近傍領域に含まれる血管領域の側面に相当する境界領域（つまり、当該血管の血管壁に相当する画像領域、更に換言すると、血管領域とその周囲の領域との境界領域）をそれぞれ抽出するように動作する。
【００８６】
一方、計測位置設定部１１２により計測位置が自動的に設定された場合には、血管境界抽出部１１４は、動脈領域と静脈領域のそれぞれに自動的に指定された計測位置について、その近傍領域に含まれる血管領域の側面をそれぞれ抽出するように動作する。
【００８７】
このような血管領域の境界の抽出処理は、たとえば、近傍領域内の各画素の画素値を参照し、隣接する画素との画素値の差が所定値よりも大きい画素を探索することにより、行うことができる。一般に、血管領域の画素値とそれ以外の画像領域の画素値とは、大きく異なるため、このような処理によって血管領域の境界を抽出することが可能である。
【００８８】
なお、計測位置を自動設定する場合においては、血管領域を抽出するときに画素値を解析した結果（前述の血管領域抽出部１１１の説明を参照）を用いて、血管領域の境界を抽出するようにしてもよい。ただし、血管領域（動脈領域、静脈領域）を抽出する処理は、眼底画像全体について画素値を解析するため、詳細に画素値を解析すると処理が長時間化するおそれがある。そこで、血管領域抽出部１１１により血管領域を抽出するときには、動脈領域と静脈領域とを判別して抽出するために十分な精度で画素値を解析し、一方、血管境界抽出部１１４により血管領域の境界を抽出するときには、境界を高い確度で抽出するために、より高い精度で画素値を解析するように構成することが望ましいと考えられる。
【００８９】
（交叉位置演算部）
交叉位置演算部１１５は、動静脈径比の計測位置を通過する複数の直線を形成するとともに、各直線について、その直線と、血管境界抽出部１１４により抽出された血管領域の境界とが交叉する位置を演算する処理を行うもので、本発明の「交叉位置演算手段」の一例として機能するものである。
【００９０】
より詳しく説明すると、本実施形態の交叉位置演算部１１５は、動脈領域及び静脈領域のそれぞれについて、計測位置を通過する複数の直線を形成し、各直線と、抽出された各境界とが交叉する位置を演算する処理を行う。
【００９１】
この交叉位置演算部１１５が実行する処理について図３を参照しつつ説明する。同図において、符号Ｖは、血管領域の一部（つまり動脈領域又は静脈領域の一部）を表している。符号Ｐは、動静脈径比の計測位置を表している。符号Ｎは、近傍領域設定部１１３により設定された、計測位置Ｐを中心とする近傍領域を表している。符号Ｂ１、Ｂ２は、血管境界抽出部１１４により抽出された、血管領域Ｖの両側面の境界領域を表している。また、符号ｂ１、ｂ２は、血管領域Ｖの境界領域Ｂ１、Ｂ２のうち、近傍領域Ｎに含まれる領域を表している。
【００９２】
交叉位置演算部１１５は、まず、計測位置Ｐを通過する複数の直線Ｌ１、Ｌ２、Ｌ３（、Ｌ４、・・・・、Ｌｎ（図示せず）；ｎ≧２）を形成する。この処理において考慮する直線の本数は、マイクロプロセッサ２１の処理能力や計測精度などを勘案して、たとえば数十〜数百本程度の任意の本数とされる。交叉位置演算部１１５は、たとえば等角度間隔で直線を形成する（一例として、５度間隔で３６本の直線を形成する。）
【００９３】
更に、交叉位置演算部１１５は、直線Ｌ１について、境界領域ｂ１と交叉する位置ｐ１１の座標値を演算するとともに、境界領域ｂ２と交叉する位置ｐ１２の座標値を演算する。同様に、各直線Ｌｉ（ｉ＝２〜ｎ）について、境界領域ｂ１と交叉する位置ｐｉ１の座標値を演算するとともに、境界領域ｂ２と交叉する位置ｐｉ２の座標値を演算する。なお、この座標値は、たとえば、眼底画像の画像データにあらかじめ定義された２次元座標系によって表されるものである。
【００９４】
（交叉位置間距離演算部）
交叉位置間距離演算部１１６は、交叉位置演算部１１５により各直線について演算された２つの交叉位置の間の距離を演算する処理を行うもので、本発明の「距離演算手段」の一例として機能するものである。
【００９５】
前述の図３を参照して説明すると、交叉位置間距離演算部１１６は、各直線Ｌｉ（ｉ＝１〜ｎ）について、交叉位置演算部１１５により求められた２つの交叉位置ｐｉ１、ｐｉ２の間の距離ｄｉを演算する。
【００９６】
この距離ｄｉは、たとえば、各交叉位置ｐｉ１、ｐｉ２の座標値に対して三平方の定理を適用することによって容易に算出することが可能である。また、２つの交叉位置ｐｉ１、ｐｉ２を結ぶ線分を形成する画素数をカウントし、このカウント結果と、隣接する画素間の距離（既知である。）とに基づいて距離ｄｉを演算するようにしてもよい。
【００９７】
（交叉位置間距離選択部）
交叉位置間距離選択部１１７は、交叉位置間距離演算部１１６により各直線について演算された２つの交叉位置間の距離のうち最も短い距離を選択する処理を行うもので、この発明の「距離選択手段」の一例として機能するものである。この交叉位置間距離選択部１１７により選択された距離は、当該計測位置における血管領域の幅の値に採用される。
【００９８】
図３を参照して説明すると、交叉位置間距離選択部１１７は、直線Ｌ１、Ｌ２、・・・・、Ｌｎについて求められた距離ｄ１、ｄ２、・・・・、ｄｎの大小関係を判断することにより、これらの距離ｄ１〜ｄｎのうち最短の距離ｄを選択する。この処理を動脈領域及び静脈領域のそれぞれについて実行することにより、動脈領域の計測位置における幅（動脈径）ｄａと、静脈領域の計測位置における幅（静脈径）ｄｖとが得られる。
【００９９】
（動静脈径比演算部）
動静脈径比演算部１１８は、交叉位置間距離選択部１１７によって取得された動脈径ｄａを静脈径ｄｖで除算することにより、動脈径と静脈径との比（動静脈径比）ｄａ／ｄｖを演算する処理を行うもので、本発明の「動静脈径比演算手段」の一例として機能するものである。演算された動静脈径比の情報は、制御部１３に送られる。
【０１００】
なお、互いに平行である動脈領域と静脈領域とのペアを複数抽出し、各ペアについて動静脈径比を演算するとともに、これら複数の動静脈径比に基づいて（たとえば、それらの平均値を算出することにより）、以下の診察情報の生成に供される動静脈径比の値を求めるように構成することも可能である。
【０１０１】
（診察情報生成部）
ここで、制御部１３の診療情報生成部１３１について説明する。この診察情報生成部１３１は、演算処理部１１により演算された動静脈径比の情報に基づいて、以下のような形態の診療情報（表示に供される診療情報）を生成する処理を行う。
【０１０２】
この診療情報には、たとえば次の情報（１）〜（３）のうちの少なくともいずれか１つを含めることができる：（１）動静脈径比の値ｄａ／ｄｖ；（２）動脈径の値ｄａ及び静脈径の値ｄｖ；（３）動静脈径比の値ｄａ／ｄｖに基づく動脈の狭細化現象（動脈が細くなること）の程度を示す情報（動脈硬化や高血圧の程度を反映した情報である。）。
【０１０３】
ここで、上記の情報（３）に示す診療情報は、たとえば、前述の非特許文献１に記載されている動脈狭細に関する情報に基づいて取得することができる。すなわち、診療情報生成部１３１は、演算された動静脈径比の値ｄａ／ｄｖについて、３／４≧ｄａ／ｄｖ＞２／３の場合には「正常（動脈狭細なし）」と判定し、２／３≧ｄａ／ｄｖ＞１／２の場合には「軽度の動脈狭細」と判定し、１／２≧ｄａ／ｄｖ＞１／３の場合には「中程度の動脈狭細」と判定し、１／３≧ｄａ／ｄｖの場合には「高度（重度）の動脈狭細」と判定し、その判定結果を診断情報とする。なお、この判定処理に使用される情報は、図２に示したハードディスクドライブ２４等の記憶装置にあらかじめ記憶される。
【０１０４】
［使用形態］
以上のように構成された本実施形態に係る診療支援システム１の使用形態を説明する。以下、第１の使用形態においては、眼底画像の血管領域上の計測位置を手作業で指定する場合について説明し、第２の使用形態においては、計測位置を自動的に設定する場合について説明する。
【０１０５】
〔第１の使用形態：計測位置を手作業で指定する場合〕
図４に示すフローチャートは、計測位置をユーザが手作業で指定する場合における診療支援システム１の使用形態の一例を表している。また、図５〜図１１は、当該使用形態において表示部１２２に表示される画面の一例を表している。
【０１０６】
最初に、眼科撮影装置２を用いて、被検眼（図示せず）の眼底画像を撮影する（Ｓ１）。眼科撮影装置２は、撮影された眼底画像の画像データを診療支援装置１０に送信する。
【０１０７】
診療支援装置１０は、撮影された眼底画像の画像データを各患者毎に管理するソフトウェア（データベース）を備えている。診療支援装置１０は、眼科撮影装置２により撮影された眼底画像の画像データをデータベースに登録する（Ｓ２）。
【０１０８】
制御部１３は、ユーザが所定の操作を行ったことに対応し、上記のソフトウェアに基づいて、図５に示す患者選択画面１０００を表示部１２２に表示させる（Ｓ３）。この患者選択画面１０００には、患者ＩＤ入力／表示部１００１と、患者氏名入力／表示部１００２と、ふりがな入力／表示部１００３と、患者リスト表示部１００４と、ＯＫボタン１００５とが設けられている。
【０１０９】
患者リスト表示部１００４には、眼底画像等の眼科画像が撮影された患者のリストが表示される。このリストには、患者ＩＤ、患者氏名、性別、生年月日、登録年月日（撮影した眼科画像をデータベースに登録した年月日）、最終来院日などの情報が、各患者毎に表示される。
【０１１０】
ユーザは、次の操作（１）〜（４）のうちのいずれかを行って患者を選択する：（１）患者ＩＤ入力／表示部１００１に所望の患者の患者ＩＤを入力する；（２）患者氏名入力／表示部１００２に所望の患者の氏名を入力する；（３）ふりがな入力／表示部１００３に所望の患者の氏名のふりがなを入力する；（４）患者リスト表示部１００４に表示されたリストから所望の患者を指定する。ここで、操作（１）〜（３）は、たとえばキーボード２５を用いて行い、操作（４）は、たとえばマウス２６を用いて行う。続いて、マウス２６を用いてＯＫボタン１００５をクリックして、患者の選択結果を確定する（Ｓ４）。
【０１１１】
ＯＫボタン１００５がクリックされると、制御部１３は、図６に示す画像選択画面２０００を表示部１２２に表示させる（Ｓ５）。この画像選択画面２０００には、患者情報表示部２００１と、画像リスト表示部２００２と、ＯＫボタン２００３とが設けられている。
【０１１２】
患者情報表示部２００１には、ステップＳ４にて選択された患者の患者情報（患者ＩＤ、患者氏名等）が表示される。画像リスト表示部２００２には、当該患者について登録されている眼科画像（眼底画像）のリストが表示される。このリストには、画像の撮影日、プロシジャ（ｐｒｏｃｅｄｕｒｅ；撮影手順（撮影画像の種類））、画像ファイル名などの情報が、各画像毎に表示される。
【０１１３】
ユーザは、たとえばマウス２６を用いて、画像リスト表示部２００２に表示されたリストから所望の眼底画像を選択し、ＯＫボタン２００３をクリックして選択結果を確定する（Ｓ６）。
【０１１４】
ＯＫボタン２００５がクリックされると、制御部１３は、選択された眼底画像の画像データを読み出して、当該眼底画像を表示部１２２に表示させる（Ｓ７）。図７は、この眼底画像Ｇを表示する画像表示画面３０００の一例を表している。
【０１１５】
ユーザは、画像表示画面３０００に表示された眼底画像Ｇを観察し、動脈領域と静脈領域とがほぼ平行になっている部位を探索し、その部位を含む画像領域を指定する（Ｓ８）。図８は、眼底画像Ｇ上の画像領域Ｇａの指定態様の一例を表している。この画像領域Ｇａの指定は、たとえばマウス２６を用いた前述の指定操作によって行うことができる。なお、動脈領域と静脈領域は、表示される明るさ（輝度値）が異なっているため、一般に肉眼でも判別できる。
【０１１６】
画像領域Ｇａが指定されると、制御部１３は、この画像領域Ｇａの拡大画像を表示する計測画面４０００（図９参照）を表示部１２２に表示させる（Ｓ９）。この計測画面４０００には、検査選択操作部４００１と、指定画像領域表示部４００２と、拡大画像表示部４００３と、縦方向及び横方向のスライダ４００４Ａ、４００４Ｂと、計測結果表示部４００５とが設けられている。
【０１１７】
この計測画面４０００は、本実施形態に係る検査（動静脈径比による動脈狭細の検査）とともに、第２の実施形態に係る検査（動静脈の交叉位置における静脈径とその交叉位置から離れた位置における静脈径との比を用いた検査）の双方に用いられるものである（後者については後述する。）。検査選択操作部４００１には、各検査に対応するボタンが設けられており、いずれかのボタンを選択的にクリックすることにより、所望の検査を選択することができるようになっている。本実施形態では、「動脈狭細」ボタンが選択される。
【０１１８】
指定画像領域表示部４００２には、ステップＳ８にて指定された画像領域Ｇａが表示される。拡大画像表示部４００３には、この画像領域Ｇａの部分領域の拡大画像Ｇｂが表示される。スライダ４００４Ａ、４００４Ｂをマウス２６でドラッグする等の操作を行うことにより、拡大画像Ｇｂとして表示される画像領域Ｇａの部分領域を変更することができる。
【０１１９】
ユーザは、操作部１２１を操作して、図１０に示すように、拡大画像Ｇｂ内の動脈領域Ｇｃ上に計測位置Ｐａを指定する（Ｓ１０）。演算処理部１１（近傍領域設定部１１３〜交叉位置間距離選択部１１７）は、前述の処理を実行して（図３参照）、計測位置Ｐａにおける動脈径ｄａを演算する（Ｓ１１）。なお、図１０に示す符号Ｎａは、計測位置Ｐａを中心として設定される近傍領域を表している。
【０１２０】
更に、ユーザは、操作部１２１を操作して、図１１に示すように、拡大画像Ｇｂ内の静脈領域Ｇｄ上に計測位置Ｐｖを指定する（Ｓ１２）。演算処理部１１（近傍領域設定部１１３〜交叉位置間距離選択部１１７）は、同様にして、計測位置Ｐｖにおける静脈径ｄｖを演算する（Ｓ１３）。なお、図１１に示す符号Ｎｖは、計測位置Ｐｖを中心として設定される近傍領域を表している。
【０１２１】
なお、動脈領域Ｇｃ上の計測位置Ｐａの指定及び動脈径ｄａの演算処理（ステップＳ１０、Ｓ１１）と、静脈領域Ｇｄ上の計測位置Ｐｖの指定及び静脈径ｄｖの演算処理（ステップＳ１２、Ｓ１３）とは、どちらを先に行ってもよい。
【０１２２】
動静脈径比演算部１１８は、ステップＳ１１にて得られた動脈径ｄａと、ステップＳ１３にて得られた静脈径ｄｖとに基づいて、動静脈径比ｄａ／ｄｖを演算する（Ｓ１４）。
【０１２３】
診療情報生成部１３１は、演算処理部１１による演算結果に基づいて、動脈狭細に関する診療情報を生成する（Ｓ１５）。ここでは、動脈狭細の程度を示す情報（前述）を生成するものとする。制御部１３は、計測画面４０００の計測結果表示部４００５の「程度」の欄に、ステップＳ１５で生成した動脈狭細の程度を示す情報を表示させる（Ｓ１６）。以上で、計測位置を手作業で指定する場合における処理は終了となる。
【０１２４】
〔第２の使用形態：計測位置を自動設定する場合〕
図１２に示すフローチャートは、計測位置を自動的に設定する場合における診療支援システム１の使用形態の一例を表している。以下、第１の使用形態と同様のステップについては簡単に説明することにする。
【０１２５】
最初に、被検眼の眼底画像を撮影する（Ｓ２１）。診療支援装置１０は、撮影された眼底画像の画像データをデータベースに登録する（Ｓ２２）。
【０１２６】
制御部１３は、所定の操作がなされたことに対応して、患者選択画面１０００を表示部１２２に表示させる（Ｓ２３）。ユーザは、患者の選択を行う（Ｓ２４）。
【０１２７】
制御部１３は、選択された患者の情報を呈示する画像選択画面２０００を表示部１２２に表示させる（Ｓ２５）。ユーザは、所望の眼底画像を選択する（Ｓ２６）。
【０１２８】
血管領域抽出部１１１は、選択された眼底画像の画像データに基づいて、この眼底画像中の動脈領域と静脈領域をそれぞれ抽出するとともに、互いにほぼ平行に位置する動脈領域の部位と静脈領域の部位とを抽出する（Ｓ２７）。計測位置設定部１１２は、抽出された動脈領域上に計測位置を設定する（Ｓ２８）。近傍領域設定部１１３〜交叉位置間距離選択部１１７は、前述の要領で（図３参照）、この計測位置における動脈径ｄａを演算する（Ｓ２９）。
【０１２９】
また、計測位置設定部１１２は、ステップＳ２７で抽出された静脈領域上に計測位置を設定する（Ｓ３０）。近傍領域設定部１１３〜交叉位置間距離選択部１１７は、同様の処理を行って、この計測位置における静脈径ｄｖを演算する（Ｓ３１）。
【０１３０】
なお、動脈領域上の計測位置の指定及び動脈径ｄａの演算処理（ステップＳ２８、Ｓ２９）と、静脈領域上の計測位置の指定及び静脈径ｄｖの演算処理（ステップＳ３０、Ｓ３１）とは、どちらを先に行ってもよい。
【０１３１】
動静脈径比演算部１１８は、ステップＳ２９にて得られた動脈径ｄａと、ステップＳ３１にて得られた静脈径ｄｖとに基づいて、動静脈径比ｄａ／ｄｖを演算する（Ｓ３２）。
【０１３２】
診療情報生成部１３１は、演算処理部１１による演算結果に基づいて、動脈狭細に関する診療情報を生成する（Ｓ３３）。制御部１３は、生成された診療情報を、計測画面４０００の計測結果表示部４００５に表示させる（Ｓ３４）。以上で、計測位置を自動設定する場合における処理は終了となる。
【０１３３】
なお、以上の処理において、ステップＳ２３〜Ｓ２６を省略することも可能である。すなわち、眼底画像の撮影及び画像データの登録処理に続けて、当該画像データに基づく動静脈径比の計測を行うように構成することも可能である。
【０１３４】
［作用・効果］
以上のような本実施形態に係る診療支援システム１（診療支援装置１０、診療支援プログラム２４ａ）の作用及び効果について説明する。
【０１３５】
この診療支援システム１は、眼底画像を撮影し、この撮影された眼底画像の画像データに基づいて、計測位置の近傍領域に含まれる血管領域（動脈領域、静脈領域）の両側面の境界をそれぞれ抽出し、当該計測位置を通過する複数の直線のそれぞれについて、その直線と血管領域の境界との交叉位置を演算し、各直線について演算された２つの交叉位置の間の距離を演算し、演算された複数の距離のうちの最短の距離を当該血管領域の幅として選択し、この血管領域の幅に基づく診療情報を表示部１２２に表示させるように作用する。
【０１３６】
このような診療支援システム１によれば、眼底血管の幅の計測の自動化を図ることができる。また、計測位置を通過する複数の直線に基づく複数の血管幅の候補のうちから、最短のものを選択して血管幅として採用しているので、血管幅を高精度で計測することが可能である。
【０１３７】
特に、この診療支援システム１は、動脈領域の幅と静脈領域の幅とをそれぞれ演算してこれらの比（動静脈径比）を求めるとともに、この動静脈径比に基づく診療情報を表示するように作用するので、動静脈径比に基づく動脈狭細の検査の自動化を図りつつ、動静脈径比の計測精度の向上を図ることが可能である。
【０１３８】
また、計測位置を手作業で指定する使用形態によれば、ユーザは、眼底画像上の所望の位置を計測位置に指定できるというメリットがある。
【０１３９】
一方、計測位置を自動的に設定する使用形態によれば、当該検査に熟練していない医師等であっても、高い精度の検査結果を得ることができる。また、集団検診など多数の患者に対して行う場合に有効である。
【０１４０】
また、診療情報として、動脈狭細の程度を示す情報を呈示することができるので、検査精度や検査効率の向上を図ることが可能であり、診断に必要な労力の低減を図ることが可能である。なお、動脈領域の幅と静脈領域の幅を診断情報として表示するように構成する場合にも、ユーザは、これらの比を計算するだけで動静脈径比を取得できるので、従来と比較して検査精度や検査効率の向上を図ることができる。
【０１４１】
〈第２の実施の形態〉
本発明の第２の実施の形態について説明する。なお、第１の実施形態と同様の構成部分については、同じ符号を付すこととし、その詳細な説明は割愛することにする。
【０１４２】
本実施形態では、眼底上において動脈と静脈との交叉位置の近くの位置（第１の計測位置）における静脈径と、当該交叉位置から離れた位置（第２の計測位置）における静脈径との比（静脈径比）に基づく診断情報を提供する発明について説明する。
【０１４３】
図１３に示すブロック図は、本実施形態に係る診療支援システムの全体構成の一例を表している。同図に示す診療支援システム１００は、第１の実施形態と同様に、眼科撮影装置２と診療支援装置１０とを含んで構成される。
【０１４４】
眼科撮影装置２は、第１の実施形態と同様の構成を備えている。また、診療支援装置１０は、第１の実施形態と同様のハードウェア構成を備えている（図２参照）。
【０１４５】
本実施形態の診療支援装置１０は、図１３に示すように、第１の実施形態とほぼ同様の機能的構成を備えている。第１の実施形態との主たる相違点は、血管領域抽出部１１１及び計測位置設定部１１２の処理内容と、静脈径比演算部１１９が設けられていること、更には、制御部１３の診療情報生成部１３１の処理内容である。以下、これらの相違点を中心に説明する。
【０１４６】
（血管領域抽出部）
本実施形態の血管領域抽出部１１１は、眼科撮影装置２により撮影された眼底画像の画像データに基づいて、当該眼底画像から動脈領域と静脈領域をそれぞれ抽出する処理を行うもので、本発明の「血管領域抽出手段」の一例として機能するものである。血管領域（動脈領域及び静脈領域は、たとえば第１の実施形態と同様の手法によって抽出される。
【０１４７】
（計測位置設定部）
本実施形態の計測位置設定部１１２は、血管領域抽出部１１１によって抽出された動脈領域及び静脈領域（血管領域）に相当する画像データに基づいて、動脈と静脈とが交叉する位置の近くの第１の計測位置と当該交叉位置から離れた第２の計測位置とをそれぞれ設定する処理を行うもので、この発明の「計測位置設定手段」の一例として機能するものである。なお、眼底の動脈と静脈は、静脈が動脈の下をくぐるようにして交叉している（図１４参照）。
【０１４８】
この第１、第２の計測位置の設定処理の具体例について、図１４を参照しつつ説明する。まず、計測位置設定部１１２は、血管領域抽出部１１１により抽出された動脈領域Ｇｃ及び静脈領域Ｇｄの画像データに基づいて、図１４（Ａ）に示すような動脈領域Ｇｃと静脈領域Ｇｄとの交叉位置（動静脈交差位置）Ｃを抽出する。この処理は、たとえば動脈領域Ｇｃの各点（各画素）の座標値と、静脈領域Ｇｄの各点（各画素）の座標値とを参照して、動脈領域Ｇｃと静脈領域Ｇｄの双方に共通する座標値を探索し、動脈領域Ｇｃと静脈領域Ｇｄとが重複する領域のたとえば重心位置を抽出するなどして行うことができる。
【０１４９】
このとき、眼底の視神経乳頭に相当する画像領域（視神経乳頭領域）から一定距離以上離れた画像領域に存在する動静脈交叉位置のみを抽出するように構成するように構成することができる（このような動静脈交叉位置で計測を行うことが好適であることが臨床的に知られている。）。これを実現するための処理の一例として、まず、眼底画像の画像データに基づいて、視神経乳頭領域を抽出する。視神経乳頭領域は、他の画像領域における特徴部位と比較して、広範囲かつ明るい画像領域になっているので、たとえば画素値（輝度値等）を考慮することにより容易に抽出できる（視神経乳頭領域を手作業で指定するようにしてもよい。）。次に、抽出された視神経乳頭領域中に基準位置を設定する。この基準位置としては、たとえば、視神経乳頭領域の中心位置、重心位置、輪郭等を用いることができる。次に、設定された基準位置から一定距離以上離れた位置に存在する画像領域と、動脈領域Ｇｃ及び静脈領域Ｇｄのそれぞれとの共通領域を求める。そして、当該共通領域における動静脈交叉位置Ｃを抽出する。なお、画像領域全体における動静脈交叉位置をまず抽出し、それらのうち視神経乳頭領域から一定距離以上離れた位置に存在するものを選択するようにしてもよい。また、ここで使用される「一定距離」の情報は、たとえばハードディスクドライブ２４等の記憶装置にあらかじめ格納されている。
【０１５０】
動静脈交叉位置Ｃを抽出すると、計測位置設定部１１２は、図１４（Ａ）に示すように、この動静脈交叉位置Ｃの近傍領域Ｎｃ（に含まれる動脈領域Ｇｃ及び静脈領域Ｇｄの共通領域）における、動脈領域Ｇｃの境界Ｇｃ１、Ｇｃ２を抽出する。なお、近傍領域Ｎｃの大きさ（半径等）はあらかじめ設定されている。
【０１５１】
続いて、計測位置設定部１１２は、図１４（Ｂ）に示すように、抽出された動脈領域の境界Ｇｃ１、Ｇｃ２の一方（図１４では境界Ｇｃ２）から所定距離Ｄ１（第１の距離）だけ離れた静脈領域Ｇｄ内の位置を第１の計測位置Ｐｖ１として設定するとともに、当該一方の境界から所定距離Ｄ２（第２の距離；Ｄ２＞Ｄ１）だけ離れた静脈領域Ｇｄ内の位置を第２の計測位置Ｐｖ２として設定する。ここで、第１の距離Ｄ１の値と第２の距離Ｄ２の値は、ハードディスクドライブ２４等にあらかじめ格納されている。
【０１５２】
第１の距離Ｄ１と第２の距離Ｄ２は、動脈領域Ｇｃの境界から静脈領域Ｇｄに沿った距離であってもよいし、当該境界（を延長した直線）に対する垂線に沿った距離であってもよい（もちろん、それ以外の方法で測った距離でもよい。）。
【０１５３】
以上で説明した処理は、動静脈交差位置を自動設定するとともに第１、第２の計測位置も自動設定する場合に計測位置設定部１１２が実行する処理の一例である。一方、動静脈交差位置を手作業で指定し、第１、第２の計測位置を自動設定する場合、計測位置設定部１１２は、設定された動静脈交差位置に基づいて第１、第２の計測位置を設定するように動作する。具体的には、以上の説明における動静脈交叉位置Ｃの抽出以降の処理を行うように動作する（すなわち、上記説明では自動的に抽出した動静脈交叉位置Ｃの座標値に基づいて以降の処理を行っているが、当該場合においては、ユーザが設定した動静脈交差位置Ｃの座標値に基づいて処理を行うことになる。）。
【０１５４】
演算処理部１１（近傍領域設定部１１３、血管領域抽出部１１１、交叉位置演算部１１５、交叉位置間距離演算部１１６及び交叉位置間距離選択部１１７）は、第１の実施形態と同様の要領で、第１の計測位置Ｐｖ１における静脈領域Ｇｄの幅（第１の静脈径）ｄｖ１と、第２の計測領域Ｐｖ２における静脈領域Ｇｄの幅（第２の静脈径）ｄｖ２とを演算する。
【０１５５】
（静脈径比演算部）
静脈径比演算部１１９は、演算された第１の静脈径ｄｖ１を第２の静脈径ｄｖ２で除算することにより、動静脈交差位置の近傍における静脈径と当該交叉位置から離れた位置における静脈径との比（静脈径比）ｄｖ１／ｄｖ２を演算する処理を行うもので、本発明の「静脈径比演算手段」の一例として機能するものである。演算された静脈径比の情報は、制御部１３に送られる。
【０１５６】
なお、複数の動静脈交叉位置Ｃ１、Ｃ２、・・・、Ｃｋ（ｋ≧２）を設定するとともに、各動静脈交差位置Ｃｉ（ｉ＝１〜ｋ）について、第１の計測位置Ｐｖｉ１と第２の計測位置Ｐｖｉ２を設定することにより、複数の静脈径比ｄｖｉ１／ｄｖｉ２を演算し、そして、これら複数の動静脈径比ｄｖ１１／ｄｖ１２、ｄｖ２１／ｄｖ２２、・・・・、ｄｖｋ１／ｄｖｋ２に基づいて（たとえば、これらの平均値を算出するなどして）、以下の診察情報の生成に供される静脈径比の値を求めるように構成することも可能である。
【０１５７】
（診察情報生成部）
本実施形態における制御部１３の診療情報生成部１３１の処理内容の一例について説明する。診察情報生成部１３１は、演算処理部１１により演算された静脈径比の情報に基づいて、以下のような形態の診療情報（表示に供される診療情報）を生成する処理を行う。
【０１５８】
この診療情報には、たとえば次の情報（１）〜（３）のうちの少なくともいずれか１つを含めることができる：（１）静脈径比の値ｄｖ１／ｄｖ２；（２）第１の静脈径の値ｄｖ１及び第２の静脈径の値ｄｖ２；（３）静脈径比の値ｄｖ１／ｄｖ２に基づく、動静脈交叉位置における動脈硬化（高血圧）の程度を示す情報。
【０１５９】
ここで、上記の情報（３）に示す診療情報は、たとえば、前述の非特許文献１に記載されている情報に基づいて生成することができる。すなわち、診療情報生成部１３１は、演算された静脈径比の値ｄｖ１／ｄｖ２について、ｄｖ１／ｄｖ２＝１の場合には「正常（動脈硬化なし）」と判定し、１＞ｄｖ１／ｄｖ２≧０．５の場合には「軽度の動脈硬化」と判定し、０．５＞ｄｖ１／ｄｖ２＞０の場合には「中程度の動脈硬化」と判定し、ｄｖ１／ｄｖ２＝０の場合には「高度（重度）の動脈硬化」と判定し、その判定結果を診断情報とする。なお、この判定処理に使用される情報は、図２に示したハードディスクドライブ２４等の記憶装置にあらかじめ記憶される。
【０１６０】
［使用形態］
以上のように構成された本実施形態に係る診療支援システム１００の使用形態を説明する。以下、第１の使用形態においては、静脈領域上の第１、第２の計測位置を手作業で指定する場合について説明する。また、第２の使用形態においては、動静脈交差位置を手作業で指定するとともに第１、第２の計測位置を自動的に設定する場合について説明する。また、第３の使用形態においては、動静脈交差位置を自動的に設定するとともに第１、第２の計測位置についても自動的に設定する場合について説明する。
【０１６１】
〔第１の使用形態：計測位置を手作業で指定する場合〕
図１５に示すフローチャートは、第１、第２の計測位置をユーザが手作業で指定する場合における診療支援システム１００の使用形態の一例を表している。また、図１６〜図２０は、当該使用形態において表示部１２２に表示される画面の一例を表している。
【０１６２】
最初に、眼科撮影装置２を用いて、被検眼の眼底画像を撮影する（Ｓ４１）。眼科撮影装置２は、撮影された眼底画像の画像データを診療支援装置１０に送信する。
【０１６３】
診療支援装置１０は、撮影された眼底画像の画像データを各患者毎に管理するソフトウェア（データベース）を備えている。診療支援装置１０は、眼科撮影装置２により撮影された眼底画像の画像データをデータベースに登録する（Ｓ４２）。
【０１６４】
制御部１３は、ユーザが所定の操作を行ったことに対応し、上記のソフトウェアに基づいて、第１の実施形態と同様の患者選択画面１０００（図５参照）を表示部１２２に表示させる（Ｓ４３）。
【０１６５】
ユーザが、第１の実施形態と同様の操作を行って患者を選択すると（Ｓ４４）、図６に示した画像選択画面２０００が表示部１２２に表示される（Ｓ４５）。ユーザは、この画像選択画面２０００に表示されたリストから所望の眼底画像を選択する（Ｓ４６）。
【０１６６】
制御部１３は、選択された眼底画像の画像データを読み出して、当該眼底画像を表示部１２２に表示させる（Ｓ４７）。図１６は、第１の実施形態で説明した画像表示画面３０００による当該眼底画像の表示態様の一例を表している。
【０１６７】
ユーザは、画像表示画面３０００に表示された眼底画像Ｇ′を観察し、動静脈交叉位置を探索し、それを含む画像領域を指定する（Ｓ４８）。図１７は、眼底画像Ｇ′上の画像領域Ｇａ′の指定態様の一例を表している。この画像領域Ｇａ′の指定は、たとえば、第１の実施形態と同様にマウス２６を用いて行うことができる。
【０１６８】
画像領域Ｇａ′が指定されると、制御部１３は、第１の実施形態と同様に、計測画面４０００（図１８参照）を表示部１２２に表示させ、画像領域Ｇａ′の拡大画像Ｇｂ′を表示させる（Ｓ４９）。なお、図１８における符号Ｃは、ステップＳ４８でユーザが探索した動静脈交差位置を示している（この動静脈交差位置Ｃを示す点像は、実際には表示されない。）。
【０１６９】
ユーザは、操作部１２１を操作し、図１９に示すように、拡大画像Ｇｂ′の動静脈交差位置Ｃの近傍における静脈領域Ｇｄ上の位置に第１の計測位置Ｐｖ１を指定する（Ｓ５０）。演算処理部１１（近傍領域設定部１１３〜交叉位置間距離選択部１１７）は、前述の処理を実行し、この第１の計測位置Ｐｖ１における静脈径ｄｖ１を演算する（Ｓ５１）。なお、図１９に示す符号Ｎｖ１は、近傍領域設定部１１３により、第１の計測位置Ｐｖ１を中心として設定される近傍領域を表している。
【０１７０】
同様に、動静脈交差位置Ｃから離れた位置（第１の計測位置Ｐｖ１よりも交叉位置Ｃから離間した位置）における静脈領域Ｇｄ上の位置に第２の計測位置Ｐｖ２が指定されると（Ｓ５２）、演算処理部１１は、この第２の計測位置Ｐｖ２における静脈径ｄｖ２を演算する（Ｓ５３）。図１９に示す符号Ｎｖ２は、近傍領域設定部１１３により、第２の計測位置Ｐｖ２を中心として設定される近傍領域を表している。
【０１７１】
なお、第１の計測位置Ｐｖ１の指定及び静脈径ｄｖ１の演算処理（ステップＳ５０、Ｓ５１）と、第２の計測位置Ｐｖ２の指定及び静脈径ｄｖ２の演算処理（ステップＳ５２、Ｓ５３）とは、どちらを先に行ってもよい。
【０１７２】
静脈径比演算部１１９は、第１の計測位置における静脈径ｄｖ１と、第２の計測位置Ｐｖ２における静脈径ｄｖ２とに基づいて、静脈径比ｄｖ１／ｄｖ２を演算する（Ｓ５４）。
【０１７３】
診療情報生成部１３１は、演算処理部１１による演算結果に基づく診療情報を生成する（Ｓ５５）。ここでは、静脈径比の値ｄｖ１／ｄｖ２と、この静脈径比の値ｄｖ１／ｄｖ２に基づく動脈硬化の程度を示す情報と、第１の静脈径の値ｄｖ１及び第２の静脈径の値ｄｖ２とを含む診療情報を生成するものとする。
【０１７４】
制御部１３は、計測画面４０００の計測結果表示部４００５（図１８参照）に、ステップＳ５５で生成した診療情報を表示させる（Ｓ５６）。具体的には、静脈径比の値ｄｖ１／ｄｖ２に基づく動脈硬化の程度を示す情報（「正常」、「軽度の動脈硬化」等）を計測結果表示部４００５の「程度」の欄に表示させ、静脈径比の値ｄｖ１／ｄｖ２を「Ｖ２／Ｖ１比」の欄に表示させ、動静脈交叉位置Ｃ近傍の第１の計測位置Ｐｖ１における静脈径の値ｄｖ１を「交叉部の径（Ｖ２）」の欄に表示させ、動静脈交叉位置Ｃから離隔した第２の計測位置Ｐｖ２における静脈径の値ｄｖ２を「交叉外の径（Ｖ１）」の欄に表示させる。以上で、第１、第２の計測位置を手作業で指定する場合における処理は終了となる。
【０１７５】
〔第２の使用形態：動静脈交差位置を手作業で指定し、計測位置を自動設定する場合〕
図２１に示すフローチャートは、動静脈交差位置を手作業で指定するとともに第１、第２の計測位置を自動的に設定する場合における診療支援システム１００の使用形態の一例を表している。以下、第１の使用形態と同様のステップについては簡単に説明することにする。
【０１７６】
最初に、被検眼の眼底画像を撮影し（Ｓ６１）、その眼底画像の画像データをデータベースに登録する（Ｓ６２）。
【０１７７】
制御部１３は、ユーザが所定の操作を行ったことに対応して患者選択画面１０００（図５参照）を表示部１２２に表示させる（Ｓ６３）。ユーザが患者を選択すると（Ｓ６４）、画像選択画面２０００が表示される（Ｓ６５）。ユーザが所望の眼底画像を選択すると（Ｓ６６）、図１６に示すように、その眼底画像Ｇ′が表示部１２２に表示される（Ｓ６７）。
【０１７８】
ユーザが、図１７に示すように眼底画像Ｇ′内の画像領域Ｇａ′を指定すると（Ｓ６８）と、画像領域Ｇａ′の拡大画像Ｇｂ′が表示された計測画面４０００（図１８参照）が表示部１２２に表示される（Ｓ６９）。
【０１７９】
ユーザは、操作部１２１を操作して、拡大画像Ｇｂ′上の動静脈交叉位置Ｃを指定する（Ｓ７０）。指定された位置には、図１８に示すように、この動静脈交差位置Ｃを表す点像が表示される。
【０１８０】
計測位置設定部１１２は、図１９に示すように、指定された動静脈交差位置Ｃから第１の距離Ｄ１だけ離れた静脈領域Ｇｄ上の位置に、第１の計測位置Ｐｖ１を設定する（Ｓ７１）。演算処理部１１は、この第１の計測位置Ｐｖ１における静脈径ｄｖ１を演算する（Ｓ７２）。
【０１８１】
また、計測位置設定部１１２は、動静脈交差位置Ｃから第２の距離Ｄ２だけ離れた静脈領域Ｇｄ上の位置に、第２の計測位置Ｐｖ２を設定する（Ｓ７３）。演算処理部１１は、この第２の計測位置Ｐｖ２における静脈径ｄｖ２を演算する（Ｓ７４）。
【０１８２】
静脈径比演算部１１９は、第１の計測位置における静脈径ｄｖ１と、第２の計測位置Ｐｖ２における静脈径ｄｖ２とに基づいて、静脈径比ｄｖ１／ｄｖ２を演算する（Ｓ７５）。
【０１８３】
診療情報生成部１３１は、演算処理部１１による演算結果に基づく診療情報を生成する（Ｓ７６）。制御部１３は、計測画面４０００の計測結果表示部４００５（図１８参照）に、ステップＳ７６で生成した診療情報を表示させる（Ｓ７７）。以上で、動静脈交叉位置を手作業で指定するとともに、第１、第２の計測位置を自動設定する場合における処理は終了となる。
【０１８４】
〔第３の使用形態：動静脈交差位置及び計測位置を自動設定する場合〕
図２２に示すフローチャートは、動静脈交差位置を自動設定するとともに第１、第２の計測位置も自動設定する場合における診療支援システム１００の使用形態の一例を表している。以下、第１の使用形態と同様のステップについては簡単に説明することにする。
【０１８５】
最初に、被検眼の眼底画像を撮影し（Ｓ８１）、その眼底画像の画像データをデータベースに登録する（Ｓ８２）。
【０１８６】
制御部１３は、ユーザが所定の操作を行ったことに対応して患者選択画面１０００（図５参照）を表示部１２２に表示させる（Ｓ８３）。ユーザが患者を選択すると（Ｓ８４）、画像選択画面２０００が表示される（Ｓ８５）。ユーザは、所望の眼底画像を選択する（Ｓ８６）。
【０１８７】
血管領域抽出部１１１は、選択された眼底画像の画像データに基づいて、この眼底画像中の動脈領域と静脈領域をそれぞれ抽出する（Ｓ８７）。計測位置設定部１１２は、抽出された動脈領域と静脈領域の画像データに基づいて、図１８に示すような動静脈交叉位置Ｃを抽出する（Ｓ８８）。
【０１８８】
計測位置設定部１１２は、図１９に示すように、抽出された動静脈交差位置Ｃから第１の距離Ｄ１だけ離れた静脈領域Ｇｄ上の位置に第１の計測位置Ｐｖ１を設定するとともに（Ｓ８９）、この動静脈交差位置Ｃから第２の距離Ｄ２だけ離れた静脈領域Ｇｄ上の位置に第２の計測位置Ｐｖ２を設定する（Ｓ９０）。
【０１８９】
演算処理部１１は、第１の計測位置Ｐｖ１における静脈径ｄｖ１を演算する（Ｓ９１）とともに、第２の計測位置Ｐｖ２における静脈径ｄｖ２を演算する（Ｓ９２）。
【０１９０】
静脈径比演算部１１９は、第１の計測位置における静脈径ｄｖ１と、第２の計測位置Ｐｖ２における静脈径ｄｖ２とに基づいて、静脈径比ｄｖ１／ｄｖ２を演算する（Ｓ９３）。
【０１９１】
診療情報生成部１３１は、演算処理部１１による演算結果に基づく診療情報を生成する（Ｓ９４）。制御部１３は、計測画面４０００の計測結果表示部４００５（図１８参照）に、ステップＳ９４で生成した診療情報を表示させる（Ｓ９５）。以上で、動静脈交叉位置及び第１、第２の計測位置を自動設定する場合における処理は終了となる。
【０１９２】
なお、以上の処理において、ステップＳ８３〜Ｓ８６を省略することも可能である。すなわち、眼底画像の撮影及び画像データの登録処理に続けて、当該画像データに基づく動静脈径比の計測を行うように構成することも可能である。
【０１９３】
［作用・効果］
以上のような本実施形態に係る診療支援システム１００（診療支援装置１０、診療支援プログラム２４ａ）の作用及び効果について説明する。
【０１９４】
この診療支援システム１００は、眼底画像を撮影し、この撮影された眼底画像の画像データに基づいて、計測位置の近傍領域に含まれる血管領域（動脈領域、静脈領域）の両側面の境界をそれぞれ抽出し、当該計測位置を通過する複数の直線のそれぞれについて、その直線と血管領域の境界との交叉位置を演算し、各直線について演算された２つの交叉位置の間の距離を演算し、演算された複数の距離のうちの最短の距離を当該血管領域の幅として選択し、この血管領域の幅に基づく診療情報を表示部１２２に表示させるように作用する。
【０１９５】
このような診療支援システム１００によれば、眼底血管の幅の計測の自動化を図ることができる。また、計測位置を通過する複数の直線に基づく複数の血管幅の候補のうちから、最短のものを選択して血管幅として採用しているので、血管幅を高精度で計測することが可能である。
【０１９６】
特に、この診療支援システム１００は、眼底上における動脈と静脈の交叉位置の近くにおける静脈径と、この交叉位置から離れた位置における静脈径とをそれぞれ演算してこれらの比（静脈径比）を求めるとともに、この静脈径比に基づく診療情報を表示するように作用するので、静脈径比に基づく動脈硬化の検査の自動化を図りつつ、動脈径比の計測精度の向上を図ることが可能である。
【０１９７】
また、動脈径比の計測位置（第１、第２の計測位置）を手作業で指定する使用形態（第１の使用形態）によれば、ユーザは、眼底画像上の所望の位置を計測位置として指定できるというメリットがある。
【０１９８】
また、動静脈交叉位置を手作業で指定し、この指定結果に基づいて計測位置を自動設定する使用形態（第２の使用形態）によれば、眼底画像における動脈領域と静脈領域とが交叉する位置を探索して指定するだけで、動静脈径比を取得することができるので、当該検査に熟練していない医師等であっても高精度の検査結果を容易に得ることができる。また、集団検診など多数の患者に対して行う場合にも有効である。
【０１９９】
また、動静脈交叉位置を自動設定するとともに計測位置をも自動設定する使用形態（第３の使用形態）によれば、当該検査に熟練していない医師等であっても高精度の計測結果を容易に得ることができる。特に、集団検診など多数の患者に対して行う場合に有効である。
【０２００】
更に、動脈硬化の程度を示す情報や静脈径比の値を診療情報として呈示することにより、検査精度や検査効率の向上を図ることが可能となり、診断に必要な労力の低減を図ることが可能となる。また、動静脈交叉位置の近傍位置及び離隔位置における静脈領域の幅を診断情報として呈示することにより、ユーザは、これらの値の比を計算するだけで動静脈径比を取得できるので、従来と比較して検査精度や検査効率の向上を図ることが可能になる。
【０２０１】
〈第３の実施の形態〉
本発明の第３の実施の形態について説明する。なお、第１の実施形態と同様の構成部分については、同じ符号を付すこととし、その詳細な説明は割愛することにする。
【０２０２】
本実施形態では、眼底上の動脈の血柱反射の亢進の判定に用いられる血柱反射比（動脈の血柱反射幅と動脈径との比）に基づく診断情報を提供する発明について説明する。
【０２０３】
図２３に示すブロック図は、本実施形態に係る診療支援システムの全体構成の一例を表している。同図に示す診療支援システム１５０は、第１の実施形態と同様に、眼科撮影装置２と診療支援装置１０とを含んで構成される。
【０２０４】
眼科撮影装置２は、第１の実施形態と同様の構成を備えている。また、診療支援装置１０は、第１の実施形態と同様のハードウェア構成を備えている（図２参照）。
【０２０５】
本実施形態の診療支援装置１０は、図２３に示すように、第１の実施形態とほぼ同様の機能的構成を備えている。第１の実施形態との主たる相違点は、血柱反射幅演算部１５１及び血柱反射比演算部１５２が設けられていることと、制御部１３の診療情報生成部１３１の処理内容である。以下、これらの相違点を中心に説明する。
【０２０６】
（血柱反射幅演算部）
血柱反射幅演算部１５１は、眼科撮影装置２により撮影された眼底画像の画像データに基づいて、血柱反射比の計測位置における血柱反射の幅を演算する処理を行うもので、本発明の「血柱反射幅演算手段」の一例として機能するものである。
【０２０７】
この血柱反射幅演算部１５１には、図２４に示すように、血柱反射境界抽出部１５１１、血柱反射交叉位置演算部１５１２、交叉位置間距離演算部１５１３及び交叉位置間距離選択部１５１４が設けられている。以下、図２５を参照しつつ、血柱反射幅演算部１５１の各部について説明する。
【０２０８】
図２５において、符号Ｖは、血管領域（ここでは動脈領域）の一部を表している。符号Ｐは、血柱反射比の計測位置を表している。符号Ｎは、近傍領域設定部１１３により設定された、計測位置Ｐを中心とする近傍領域を表している。符号Ｂ１、Ｂ２は、動脈領域Ｖの両側面の境界領域を表している（血管境界抽出部１１４によって抽出される。）。また、符号ｂ１、ｂ２は、動脈領域Ｖの境界領域Ｂ１、Ｂ２のうち、近傍領域Ｎに含まれる領域を表している。以上は、第１の実施形態で説明した図３と同様である。
【０２０９】
また、図２５の符号Ｖａは、動脈領域Ｖ内の血柱反射に相当する画像領域（血柱反射領域）を表している。血柱反射は、眼底血管を観察したときに血管内の血液に照明が反射して血管の中心領域が輝いて見える現象である。動脈硬化で血管壁が厚くなると、反射の屈折率が変化し、血柱反射の幅が通常よりも太くなる。符号Ｖａ１、Ｖａ２は、血柱反射領域Ｖａの両側面の境界領域を表している。符号ｖ１、ｖ２は、血柱反射領域Ｖａの境界領域Ｖａ１、Ｖａ２のうち、近傍領域Ｎに含まれる領域を表している。
【０２１０】
（血柱反射境界抽出部）
血柱反射境界抽出部１５１１は、近傍領域設定部１１３により設定された計測位置Ｐの近傍領域Ｎ内に相当する画像データに基づいて、近傍領域Ｎに含まれる動脈領域Ｖ内の血柱反射領域Ｖａの両側面のそれぞれの境界（境界領域ｖ１、ｖ２）を抽出する処理を行うものである。
【０２１１】
より具体的に説明すると、血柱反射境界抽出部１５１１は、近傍領域Ｎに含まれる動脈領域Ｖの画像データを形成する画素値を解析し、所定の閾値以上の画素値（輝度値）を有する画素を抽出する。このようにして抽出される画素は、近傍領域Ｎ内における血柱反射領域Ｖａを形成する。
【０２１２】
血柱反射境界抽出部１５１１は、更に、抽出された血柱反射領域Ｖａを形成する画素の座標値に基づいて、この血柱反射領域Ｖａの境界領域ｖ１、ｖ２をそれぞれ抽出する。
【０２１３】
なお、上記の閾値は、動脈領域Ｖにおいて、血柱反射領域Ｖａとその他の画像領域とを判別するための値に設定され、たとえば臨床データに基づいてあらかじめ設定してもよいし、動脈領域Ｖの画素の画素値に基づいてその都度算出するようにしてもよい。
【０２１４】
（血柱反射交叉位置演算部）
血柱反射交叉位置演算部１５１２は、計測位置Ｐを通過する２以上の直線のそれぞれについて、その直線と血柱反射領域Ｖａの各境界ｖ１、ｖ２とが交叉する位置を演算する処理を行うものである。
【０２１５】
そのために、血柱反射交叉位置演算部１５１２は、交叉位置演算部１１５と同様に、計測位置Ｐを通過する複数の直線Ｌ１、Ｌ２、Ｌ３（、Ｌ４、・・・・、Ｌｎ）を形成し、各直線Ｌｊについて、境界領域ｖ１との交叉位置の座標値を演算するとともに、境界領域ｖ２との交叉位置の座標値を演算する。この座標値は、たとえば、眼底画像の画像データにあらかじめ定義された２次元座標系によって表されるものである。
【０２１６】
なお、血柱反射交叉位置演算部１５１２が形成する直線の位置や本数は、交叉位置演算部１１５により形成される直線と同じであってもよいし、異なっていてもよい。
【０２１７】
（交叉位置間距離演算部）
交叉位置間距離演算部１５１３は、血柱反射交叉位置演算部１５１２により各直線Ｌｊについて演算された２つの交叉位置の間の距離を演算する処理を行うものである。この交叉位置間距離演算部１５１３は、交叉位置間距離演算部１１６と同様の処理を行うことにより、血柱反射領域Ｖａの境界ｖ１、ｖ２と各直線Ｌｊとの交叉位置の間の距離δｊを演算する。
【０２１８】
（交叉位置間距離選択部）
交叉位置間距離選択部１５１４は、交叉位置間距離演算部１５１３により各直線Ｌｊについて演算された２つの交叉位置間の距離δｊのうち最も短い距離δを選択する処理を行うものである。この交叉位置間距離選択部１５１４により選択された距離δは、当該計測位置Ｐにおける血柱反射領域Ｖａの幅（血柱反射幅）のとして採用される。この選択処理は、交叉位置間距離選択部１１７と同様にして実行される。以上で、血柱反射幅演算部１５１の説明は終了する。
【０２１９】
（血柱反射比演算部）
血柱反射比演算部１５２は、血柱反射幅演算部１５１により演算された計測位置Ｐにおける血柱反射領域Ｖａの幅δと、交叉位置間距離選択部１１７により選択された計測位置Ｐにおける血管領域Ｖａの幅ｄ（第１の実施形態参照）との比を演算して血柱反射比δ／ｄを求める処理を行うもので、本発明の「血柱反射比演算手段」の一例として機能するものである。
【０２２０】
（診療情報生成部）
本実施形態における診療情報生成部１３１の処理内容の一例について説明する。診察情報生成部１３１は、演算処理部１１により演算された血柱反射比δ／ｄの情報に基づいて、以下のような形態の診療情報（表示に供される診療情報）を生成する処理を行う。
【０２２１】
この診療情報には、たとえば次の情報（１）〜（３）のうちの少なくともいずれか１つを含めることができる：（１）血柱反射比の値δ／ｄ；（２）血柱反射幅の値δ及び動脈径の値ｄ；（３）血柱反射比の値δ／ｄに基づく、計測位置Ｐにおける動脈硬化（高血圧）の程度を示す情報。
【０２２２】
ここで、上記の情報（３）に示す診療情報は、たとえば、前述の非特許文献１に記載されている情報に基づいて生成することができる。すなわち、診療情報生成部１３１は、演算された血柱反射比の値δ／ｄについて、δ／ｄ＝４０〜５０％（０．４〜０．５）程度の場合には「正常（動脈硬化なし）」と判定し、δ／ｄ＝４５〜５５％（０．４５〜０．５５）程度の場合には「軽度の動脈硬化」と判定し、δ／ｄ＝５５〜６０％（０．５５〜０．６０）程度の場合には「中程度の動脈硬化」と判定し、δ／ｄ＝６０％以上（０．６以上）程度の場合には「高度（重度）の動脈硬化」と判定し、その判定結果を診断情報とする。
【０２２３】
なお、この判定処理に使用される情報は、図２に示したハードディスクドライブ２４等の記憶装置にあらかじめ記憶される。また、上記判定条件には重複範囲（「正常」の範囲と「経度」の範囲との重複範囲δ／ｄ＝４５〜５０％）があるが、患者の他の疾患や検査結果等に応じて、いずれかの判定結果を選択することになる。
【０２２４】
［使用形態］
以上のように構成された本実施形態に係る診療支援システム１５０の使用形態を説明する。以下、第１の使用形態においては、血柱反射比の計測位置を手作業で指定する場合について説明する。また、第２の使用形態においては、計測位置を自動的に設定する場合について説明する。
【０２２５】
〔第１の使用形態：計測位置を手作業で指定する場合〕
図２６に示すフローチャートは、計測位置をユーザが手作業で指定する場合における診療支援システム１５０の使用形態の一例を表している。また、図２７〜図３０は、当該使用形態において表示部１２２に表示される画面の一例を表している。
【０２２６】
最初に、眼科撮影装置２を用いて眼底画像を撮影し（Ｓ１０１）、その画像データをデータベースに登録する（Ｓ１０２）。
【０２２７】
制御部１３は、ユーザが所定の操作を行ったことに対応し、上記のソフトウェアに基づいて、第１の実施形態と同様の患者選択画面１０００（図５参照）を表示部１２２に表示させる（Ｓ１０３）。ユーザが患者の選択を行うと（Ｓ１０４）、第１の実施形態と同様の画像選択画面２０００（図６参照）が表示部１２２に表示される（Ｓ１０５）。ユーザが所望の眼底画像を選択すると（Ｓ１０６）、その眼底画像が表示部１２２に表示される（Ｓ１０７）。図２７は、選択された眼底画像Ｇ″を表示する画像表示画面３０００の一例を表している。
【０２２８】
ユーザは、画像表示画面３０００に表示された眼底画像Ｇ″を観察して動脈領域Ｖを含む画像領域を指定する（Ｓ１０８）。図２８は、眼底画像Ｇ″上の画像領域Ｇａ″の指定態様の一例を表している。
【０２２９】
画像領域Ｇａ″が指定されると、この画像領域Ｇａ″の拡大画像Ｇｂ″を表示する計測画面４０００（図９参照）が表示部１２２に表示される（Ｓ１０９）。ユーザは、操作部１２１を操作して、図３０に示すように、拡大画像Ｇｂ″内の動脈領域Ｖ上に計測位置Ｐを指定する（Ｓ１１０）。
【０２３０】
演算処理部１１（近傍領域設定部１１３〜交叉位置間距離選択部１１７）は、第１の実施形態にて説明した処理を実行して、計測位置Ｐにおける動脈径ｄを演算する（Ｓ１１１）。なお、図３０に示す符号Ｎは、計測位置Ｐを中心として設定される近傍領域を表している。
【０２３１】
更に、血柱反射幅演算部１５１は、前述の処理を実行して、計測位置Ｐにおける血柱反射幅δを演算する（Ｓ１１２）。
【０２３２】
なお、動脈径ｄの演算処理（ステップＳ１１１）と、血柱反射幅δの演算処理（ステップＳ１１２）は、どちらを先に行ってもよい。
【０２３３】
血柱反射比演算部１５２は、ステップＳ１１１にて得られた動脈径ｄと、ステップＳ１１２にて得られた血柱反射幅δとに基づいて、血柱反射比δ／ｄを演算する（Ｓ１１３）。
【０２３４】
診療情報生成部１３１は、演算処理部１１による演算結果に基づいて診療情報を生成する（Ｓ１１４）。ここでは、動脈硬化の程度を示す情報を生成するものとする。制御部１３は、計測画面４０００の計測結果表示部４００５の「程度」の欄に、ステップＳ１１４で生成した動脈硬化の程度を示す情報を表示させる（Ｓ１１５）。以上で、計測位置を手作業で指定する場合における処理は終了となる。
【０２３５】
〔第２の使用形態：計測位置を自動設定する場合〕
図３１に示すフローチャートは、計測位置を自動的に設定する場合における診療支援システム１５０の使用形態の一例を表している。
【０２３６】
最初に、眼科撮影装置２を用いて眼底画像を撮影し（Ｓ１２１）、その画像データをデータベースに登録する（Ｓ１２２）。
【０２３７】
制御部１３は、ユーザが所定の操作を行ったことに対応し、上記のソフトウェアに基づいて、第１の実施形態と同様の患者選択画面１０００（図５参照）を表示部１２２に表示させる（Ｓ１２３）。ユーザが患者の選択を行うと（Ｓ１２４）、第１の実施形態と同様の画像選択画面２０００（図６参照）が表示部１２２に表示される（Ｓ１２５）。ユーザは、所望の眼底画像を選択する（Ｓ１２６）。
【０２３８】
血管領域抽出部１１１は、選択された眼底画像の画像データに基づいて、この眼底画像中の動脈領域を抽出する（Ｓ１２７）。計測位置設定部１１２は、抽出された動脈領域上に計測位置を設定する（Ｓ１２８）。ステップＳ１２７、Ｓ１２８は、第１の実施形態と同様の処理によって実行される。
【０２３９】
近傍領域設定部１１３〜交叉位置間距離選択部１１７は、前述の要領で、この計測位置における動脈径を演算する（Ｓ１２９）。また、血柱反射幅演算部１５１は、前述の処理を実行して、この計測位置における血柱反射幅を演算する（Ｓ１３０）。
【０２４０】
血柱反射比演算部１５２は、ステップＳ１２９にて得られた動脈径と、ステップＳ１３０にて得られた血柱反射幅とに基づいて、血柱反射比を演算する（Ｓ１３１）。
【０２４１】
診療情報生成部１３１は、演算処理部１１による演算結果に基づいて診療情報を生成する（Ｓ１３２）。制御部１３は、生成された診療情報を計測画面４０００の計測結果表示部４００５に表示させる（Ｓ１３３）。以上で、計測位置を自動設定する場合における処理は終了となる。
【０２４２】
なお、以上の処理において、ステップＳ１２３〜Ｓ１２６を省略することも可能である。すなわち、眼底画像の撮影及び画像データの登録処理に続けて、当該画像データに基づく血柱反射比の計測を行うように構成することも可能である。
【０２４３】
［作用・効果］
以上のような本実施形態に係る診療支援システム１５０（診療支援装置１０、診療支援プログラム２４ａ）の作用及び効果について説明する。
【０２４４】
この診療支援システム１５０は、眼底画像を撮影し、この撮影された眼底画像の画像データに基づいて、計測位置の近傍領域に含まれる血管領域（動脈領域）の両側面の境界をそれぞれ抽出し、当該計測位置を通過する複数の直線のそれぞれについて、その直線と血管領域の境界との交叉位置を演算し、各直線について演算された２つの交叉位置の間の距離を演算し、演算された複数の距離のうちの最短の距離を当該血管領域の幅として選択し、この血管領域の幅に基づく診療情報を表示部１２２に表示させるように作用する。
【０２４５】
このような診療支援システム１５０によれば、眼底血管の幅の計測の自動化を図ることができる。また、計測位置を通過する複数の直線に基づく複数の血管幅の候補のうちから、最短のものを選択して血管幅として採用しているので、血管幅を高精度で計測することが可能である。
【０２４６】
特に、この診療支援システム１５０は、眼底の撮影画像上における動脈領域の幅を取得するとともに、この動脈領域における血柱反射幅を取得し、それらに基づいて血柱反射比を演算して診療情報を表示するように作用するので、血柱反射の亢進に基づく動脈硬化の検査の自動化を図りつつ、血柱反射比の計測精度の向上を図ることが可能である。
【０２４７】
また、血柱反射比の計測位置を手作業で指定する使用形態（第１の使用形態）によれば、ユーザは、眼底画像上の所望の位置を計測位置として指定できるというメリットがある。
【０２４８】
また、計測位置を自動設定する使用形態（第２の使用形態）によれば、当該検査に熟練していない医師等であっても高精度の計測結果を容易に得ることができる。特に、集団検診など多数の患者に対して行う場合に有効である。
【０２４９】
更に、動脈硬化の程度を示す情報や血柱反射比の値を診療情報として呈示することにより、検査精度や検査効率の向上を図ることが可能となり、診断に必要な労力の低減を図ることが可能となる。また、動脈領域の幅と血柱反射幅とを診断情報として呈示することにより、ユーザは、これらの値の比を計算するだけで血柱反射比を取得できるので、従来と比較して検査精度や検査効率の向上を図ることが可能になる。
【０２５０】
［変形例］
以上に説明した構成は、本発明を好適に実施するための一具体例に過ぎないものである。したがって、本発明の要旨の範囲内における任意の変形を適宜に施すことが可能である。
【０２５１】
たとえば、本発明に係る診療支援システム、診療支援装置及び診療支援プログラムは、上記の第１〜第３の実施形態の構成のうちの１つ以上を具備していれば十分である。すなわち、本発明は、動静脈径比の計測（第１の実施形態）、静脈径比の計測（第２の実施形態）及び血柱反射比の計測（第３の実施形態）のうちの１つ以上の計測処理を実行するように構成することができる。
【０２５２】
なお、２つ以上の計測処理を実行可能な構成を採用する場合には、それらの計測処理を切り替えて行うための手段を備えていることが望ましい。たとえば、図９に示した検査選択操作部４００１のようなソフトキーを表示させ、マウス２６等を用いて、実施する検査を選択することにより、計測処理を切り替えられるように構成することができる。
【０２５３】
また、経過観察など、同一患者に対して検査を複数回実施する場合には、過去に行った検査内容（計測処理を識別する情報）を記憶しておき、新規に検査を行うときに、この情報を読み出して同じ計測処理を実行するように構成することができる。
【０２５４】
また、２つ以上の計測処理を実行可能な構成を採用する場合において、それらの計測処理のうちの２つ以上を行うようにしてもよい。それにより、動脈硬化の進行状況を複数の視点（検査）によって多面的に判断することが可能になる。
【図面の簡単な説明】
【０２５５】
【図１】本発明に係る診療支援システムの第１の実施の形態の全体構成の一例の概略を表すブロック図である。
【図２】本発明に係る診療支援システムの第１の実施の形態における診療支援装置のハードウェア構成の一例の概略を表すブロック図である。
【図３】本発明に係る診療支援システムの第１の実施の形態による眼底画像中の血管領域の幅の演算処理の一例を説明するための概略説明図である。
【図４】本発明に係る診療支援システムの第１の実施の形態の使用形態の一例を表すフローチャートである。
【図５】本発明に係る診療支援システムの第１の実施の形態により表示される画面の一例を表す概略図である。
【図６】本発明に係る診療支援システムの第１の実施の形態により表示される画面の一例を表す概略図である。
【図７】本発明に係る診療支援システムの第１の実施の形態により表示される画面の一例を表す概略図である。
【図８】本発明に係る診療支援システムの第１の実施の形態により表示される画面の一例を表す概略図である。
【図９】本発明に係る診療支援システムの第１の実施の形態により表示される画面の一例を表す概略図である。
【図１０】本発明に係る診療支援システムの第１の実施の形態により表示される画面の一例を表す概略図である。
【図１１】本発明に係る診療支援システムの第１の実施の形態により表示される画面の一例を表す概略図である。
【図１２】本発明に係る診療支援システムの第１の実施の形態の使用形態の一例を表すフローチャートである。
【図１３】本発明に係る診療支援システムの第２の実施の形態の全体構成の一例の概略を表すブロック図である。
【図１４】本発明に係る診療支援システムの第２の実施の形態による第１、第２の計測位置の設定処理の一例を説明するための概略説明図である。
【図１５】本発明に係る診療支援システムの第２の実施の形態の使用形態の一例を表すフローチャートである。
【図１６】本発明に係る診療支援システムの第２の実施の形態により表示される画面の一例を表す概略図である。
【図１７】本発明に係る診療支援システムの第２の実施の形態により表示される画面の一例を表す概略図である。
【図１８】本発明に係る診療支援システムの第２の実施の形態により表示される画面の一例を表す概略図である。
【図１９】本発明に係る診療支援システムの第２の実施の形態により表示される画面の一例を表す概略図である。
【図２０】本発明に係る診療支援システムの第２の実施の形態により表示される画面の一例を表す概略図である。
【図２１】本発明に係る診療支援システムの第２の実施の形態の使用形態の一例を表すフローチャートである。
【図２２】本発明に係る診療支援システムの第２の実施の形態の使用形態の一例を表すフローチャートである。
【図２３】本発明に係る診療支援システムの第３の実施の形態の全体構成の一例の概略を表すブロック図である。
【図２４】本発明に係る診療支援システムの第３の実施の形態の構成の一例の概略を表すブロック図である。
【図２５】本発明に係る診療支援システムの第３の実施の形態による眼底画像中の血管領域の幅及び血柱反射の幅の演算処理の一例を説明するための概略説明図である。
【図２６】本発明に係る診療支援システムの第３の実施の形態の使用形態の一例を表すフローチャートである。
【図２７】本発明に係る診療支援システムの第３の実施の形態により表示される画面の一例を表す概略図である。
【図２８】本発明に係る診療支援システムの第３の実施の形態により表示される画面の一例を表す概略図である。
【図２９】本発明に係る診療支援システムの第３の実施の形態により表示される画面の一例を表す概略図である。
【図３０】本発明に係る診療支援システムの第３の実施の形態により表示される画面の一例を表す概略図である。
【図３１】本発明に係る診療支援システムの第３の実施の形態の使用形態の一例を表すフローチャートである。
【符号の説明】
【０２５６】
１、１００、１５０  診療支援システム
２  眼科撮影装置
１０  診療支援装置
１１  演算処理部
１１１  血管領域抽出部
１１２  計測位置設定部
１１３  近傍領域設定部
１１４  血管境界抽出部
１１５  交叉位置演算部
１１６  交叉位置間距離演算部
１１７  交叉位置間距離選択部
１１８  動静脈径比演算部
１１９  静脈径比演算部
１５１  血柱反射幅演算部
１５１１  血柱反射境界抽出部
１５１２  血柱反射交叉位置演算部
１５１３  交叉位置間距離演算部
１５１４  交叉位置間距離選択部
１５２  血柱反射比演算部
１２  ユーザインターフェイス
１２１  操作部
１２２  表示部
１３  制御部
１３１  診療情報生成部
【図１】
2007319403.tif 000003
【図２】
2007319403.tif 000004
【図３】
2007319403.tif 000005
【図４】
2007319403.tif 000006
【図５】
2007319403.tif 000007
【図６】
2007319403.tif 000008
【図７】
2007319403.tif 000009
【図８】
2007319403.tif 000010
【図９】
2007319403.tif 000011
【図１０】
2007319403.tif 000012
【図１１】
2007319403.tif 000013
【図１２】
2007319403.tif 000014
【図１３】
2007319403.tif 000015
【図１４】
2007319403.tif 000016
【図１５】
2007319403.tif 000017
【図１６】
2007319403.tif 000018
【図１７】
2007319403.tif 000019
【図１８】
2007319403.tif 000020
【図１９】
2007319403.tif 000021
【図２０】
2007319403.tif 000022
【図２１】
2007319403.tif 000023
【図２２】
2007319403.tif 000024
【図２３】
2007319403.tif 000025
【図２４】
2007319403.tif 000026
【図２５】
2007319403.tif 000027
【図２６】
2007319403.tif 000028
【図２７】
2007319403.tif 000029
【図２８】
2007319403.tif 000030
【図２９】
2007319403.tif 000031
【図３０】
2007319403.tif 000032
【図３１】
2007319403.tif 000033